(57)【特許請求の範囲】
【請求項１】
着信に自動応答し、対応不能メッセージを通知するビジーモードを有する電話機において、
上記ビジーモードの開始後に通話可能になる通話可能時刻を指定するための操作入力部と、
上記ビジーモード中に着信があった場合に、上記通話可能時刻に予め定められたフォロー動作を自局又は相手局のいずれが行うのかを指定した着信側フォロー設定を保持するフォロー設定記憶部と、
上記着信の発信局から、上記通話可能時刻に上記フォロー動作を自局又は相手局のいずれが行うのかを指定した発信側フォロー設定を受信するフォロー設定受信部と、
上記着信側フォロー設定及び上記発信側フォロー設定に基づいて、自局及び上記発信局が上記通話可能時刻に上記フォロー動作を行うか否かをそれぞれ判定するフォロー動作判定部と、
上記フォロー動作判定部の判定結果を上記発信局へ送信する判定結果送信部とを備えたことを特徴とする電話機。
【請求項２】
着信に自動応答し、対応不能メッセージを通知するビジーモードを有する電話機において、
上記ビジーモードの開始後に計時動作をスタートさせるタイマー部と、
上記ビジーモード中に着信があった場合に、上記タイマー部のタイムアップ時に予め定められたフォロー動作を自局又は相手局のいずれが行うのかを指定した着信側フォロー設定を保持するフォロー設定記憶部と、
上記着信の発信局から、上記タイマー部のタイムアップ時に上記フォロー動作を自局又は相手局のいずれが行うのかを指定した発信側フォロー設定を受信するフォロー設定受信部と、
上記着信側フォロー設定及び上記発信側フォロー設定に基づいて、自局及び上記発信局が上記タイマー部のタイムアップ時に上記フォロー動作を行うか否かをそれぞれ判定するフォロー動作判定部と、
上記フォロー動作判定部の判定結果を上記発信局へ送信する判定結果送信部とを備えたことを特徴とする電話機。
【請求項３】
着信に自動応答し、対応不能メッセージを通知するビジーモードを有する電話機へ発信することができる電話機において、
上記ビジーモード中の着信局へ発信した場合に、当該着信局が指定する通話可能時刻に予め定められたフォロー動作を自局又は相手局のいずれが行うのかを指定した発信側フォロー設定を保持するフォロー設定記憶部と、
上記着信局に対し、上記発信側フォロー設定を送信するフォロー設定送信部と、
上記発信側フォロー設定に基づいて上記着信局が判定した上記フォロー動作の判定結果を上記着信局から受信する判定結果受信部とを備えたことを特徴とする電話機。
【請求項４】
着信に自動応答し、対応不能メッセージを通知するビジーモードを有する電話機へ発信することができる電話機において、
上記ビジーモード中の着信局へ発信した場合に、当該着信局が指定するタイマー部のタイムアップ時に予め定められたフォロー動作を自局又は相手局のいずれが行うのかを指定した発信側フォロー設定を保持するフォロー設定記憶部と、
上記着信局に対し、上記発信側フォロー設定を送信するフォロー設定送信部と、
上記着信局が上記発信側フォロー設定に基づいて判定した上記フォロー動作の判定結果を上記着信局から受信する判定結果受信部とを備えたことを特徴とする電話機。
【請求項５】
着信に自動応答し、対応不能メッセージを通知するビジーモードを有する電話機へ発信することができる電話機において、
上記ビジーモード中の着信局へ発信した場合に、当該着信局が指定する通話可能時刻に予め定められたフォロー動作を自局又は相手局のいずれが行うのかを指定した発信側フォロー設定を保持するフォロー設定記憶部と、
上記着信局から、上記通話可能時刻に上記フォロー動作を自局又は相手局のいずれが行うのかを指定した着信側フォロー設定を受信するフォロー設定受信部と、
上記発信側フォロー設定及び上記着信側フォロー設定に基づいて、上記通話可能時刻に自局及び上記着信局のいずれが上記フォロー動作を行うのかを判定するフォロー動作判定部とを備えたことを特徴とする電話機。
【請求項６】
着信に自動応答し、対応不能メッセージを通知するビジーモードを有する電話機へ発信することができる電話機において、
上記ビジーモード中の着信局へ発信した場合に、当該着信局が指定するタイマー部のタイムアップ時に予め定められたフォロー動作を自局又は相手局のいずれが行うのかを指定した発信側フォロー設定を保持するフォロー設定記憶部と、
上記着信局から、上記タイマー部のタイムアップ時に上記フォロー動作を自局又は相手局のいずれが行うのかを指定した着信側フォロー設定を受信するフォロー設定受信部と、
上記発信側フォロー設定及び上記着信側フォロー設定に基づいて、上記タイマー部のタイムアップ時に自局及び上記着信局のいずれが上記フォロー動作を行うのかを判定するフォロー動作判定部とを備えたことを特徴とする電話機。
【請求項７】
着信に自動応答し、対応不能メッセージを通知するビジーモードを有する電話機において、
上記ビジーモードの開始後に通話可能になる通話可能時刻を指定するための通話可能時刻指定部と、
上記ビジーモード中に着信があった場合に、上記通話可能時刻に予め定められたフォロー動作を自局又は相手局のいずれが行うのかを指定した着信側フォロー設定を保持するフォロー設定記憶部と、
上記着信の発信局に対し、上記着信側フォロー設定を送信するフォロー設定送信部と、
上記着信側フォロー設定に基づいて上記発信局が判定した上記フォロー動作の判定結果を上記発信局から受信する判定結果受信部とを備えたことを特徴とする電話機。
【請求項８】
着信に自動応答し、対応不能メッセージを通知するビジーモードを有する電話機において、
上記ビジーモードの開始後に計時動作をスタートさせるタイマー部と、
上記ビジーモード中に着信があった場合に、上記タイマー部のタイムアップ時に予め定められたフォロー動作を自局又は相手局のいずれが行うのかを指定した着信側フォロー設定を保持するフォロー設定記憶部と、
上記着信の発信局に対し、上記着信側フォロー設定を送信するフォロー設定送信部と、
上記発信局が上記着信側フォロー設定に基づいて判定した上記フォロー動作の判定結果を上記発信局から受信する判定結果受信部とを備えたことを特徴とする電話機。
【発明の詳細な説明】
【技術分野】
【０００１】
本発明は、電話機に係り、さらに詳しくは、着信に自動応答し、対応不能メッセージを通知する動作モードを有する電話機の改良に関する。
【背景技術】
【０００２】
従来の携帯電話機には、ドライブモードと呼ばれる動作モードを有するものがある。ドライブモードは、着信時に着信呼出を行うことなく、自動的に着信応答を行って呼接続を確立し、ユーザが着信に対応できない旨を示す対応不能メッセージを通知する動作モードであり、ユーザが任意に設定又は解除することができる。
【０００３】
また、特許文献１には、改良されたドライブモードを有する携帯電話機が記載されている。例えば、ドライブモードの終了時刻を予め指定しておくことにより、ユーザがドライブモードを解除するのを忘れないように、終了時刻の間近にアラーム出力を行うことが記載されている。また、ドライブモード中に着信があれば、発信元に対し、ドライブモードの終了時刻を音声メッセージとして通知することが記載されている。さらに、ドライブモードの終了時刻を変更すれば、発信元に対し、変更後の終了時刻を通知することが記載されている。
【０００４】
なお、ドライブモードは、主として自動車の運転中に利用することを想定した動作モードであるが、ユーザが着信に対応できない状況は、運転中に限られず、例えば、会議中や就寝中などもあり、ドライブモードは、このような状況下でも同様にして利用することができる。このため、本明細書では、着信時に自動的に着信応答を行って呼接続を確立し、送信元へ対応不能メッセージを通知する動作モードを「ビジーモード」と呼ぶことにする。つまり、ドライブモードはビジーモードの一例である。
【先行技術文献】
【特許文献】
【０００５】
【特許文献１】特開２００３−１３４５７３号公報
【発明の概要】
【発明が解決しようとする課題】
【０００６】
上述した従来の携帯電話機では、ビジーモード中に着信があった場合に、発信元に対し、応答不能を通知するだけでなく、ビジーモードの終了時刻も通知する。このため、発信側のユーザが終了時刻にリダイヤルすれば、相手方に用件を伝えることができるが、発信側のユーザがリダイヤルするのを忘れてしまう場合がある。
【０００７】
また、従来の携帯電話機は、ビジーモードの終了時刻の間近にアラーム出力を行うことができるため、忘れずにビジーモードを解除することができる。つまり、このアラーム出力は、ビジーモードの終了時刻を知らせるものであり、ビジーモード中に着信があったことを知らせるものではない。従って、ユーザは、自ら着信履歴を閲覧し、ビジーモード中における着信の有無をチェックしなければ、ビジーモード中に着信があったことを知ることはできない。
【０００８】
そこで、ビジーモード中における着信の有無に基づいて、ビジーモードの終了時にアラーム出力を行うことが考えられる。しかしながら、このような構成を採用した場合、常に、着信側のユーザからリダイヤルすることになり、相手方に応じて、あるいは、状況に応じて、発信側のユーザからリダイヤルすることを選択する余地はない。
【０００９】
本発明は、上記の事情に鑑みてなされたものであり、ビジーモード中に着信があった場合に、自局及び発信局の各ユーザの要望に応じて、その後に自局又は発信局のいずれから電話をかけ直すのかを判定する電話機を提供することを目的とする。特に、ビジーモード中の着信による呼接続中に、将来の通話が可能になった時点において自局又は発信局のいずれから電話をかけ直すのかを判定する電話機を提供することを目的とする。また、相手局ごとに異なる要望を予め指定することができる電話機を提供することを目的とする。
【００１０】
また、本発明は、ビジーモード中に着信があった場合に、将来の通話が可能になった時点において自局又は発信局のいずれがアラーム出力を行うのかを判定する電話機を提供することを目的とする。また、ビジーモード中に着信があった場合に、将来の通話が可能になった時点において自局又は発信局のいずれがオートダイヤルを行うのかを判定する電話機を提供することを目的とする。さらに、上記判定結果に応じて、アラーム出力又はオートダイヤルを行う電話機を提供することを目的とする。
【００１１】
また、本発明は、ビジーモード中の電話機へ発信した場合に、自局及び着信局の各ユーザの要望に応じて、その後に自局又は着信局のいずれから電話をかけ直すのかを判定する電話機を提供することを目的とする。特に、ビジーモード中の電話機への発信による呼接続中に、将来の通話が可能になった時点において自局又は着信局のいずれから電話をかけ直すのかを判定する電話機を提供することを目的とする。また、相手局ごとに異なる要望を予め指定することができる電話機を提供することを目的とする。
【００１２】
また、本発明は、ビジーモード中の電話機へ発信した場合に、将来の通話が可能になった時点において自局又は着信局のいずれがアラーム出力を行うのかを判定する電話機を提供することを目的とする。また、ビジーモード中の電話機へ発信した場合に、将来の通話が可能になった時点において自局又は着信局のいずれがオートダイヤルを行うのかを判定する電話機を提供することを目的とする。さらに、上記判定結果に応じて、アラーム出力又はオートダイヤルを行う電話機を提供することを目的とする。
【課題を解決するための手段】
【００１３】
第１〜第９の本発明は、着信局において新規な判定が行われる通話システムにおいて使用される電話機に関する。このうち、第１〜第７の本発明は、着信局として動作する電話機に係り、第８及び第９の本発明は、発信局として動作する電話機に係る。また、第１０〜第１９の本発明は、発信局において新規な判定が行われる通話システムにおいて使用される電話機に関する。このうち、第１０〜第１７の本発明は、発信局として動作する電話機に係り、第１８及び第１９の本発明は、着信局として動作する電話機に係る。
【００１４】
（着信局で判定が行われる通話システムにおける着信局の構成）
第１の本発明による電話機は、着信に自動応答し、対応不能メッセージを通知するビジーモードを有する電話機において、上記ビジーモードの開始後に通話可能になる通話可能時刻を指定するための操作入力部と、上記ビジーモード中に着信があった場合に、上記通話可能時刻に予め定められたフォロー動作を自局又は相手局のいずれが行うのかを指定した着信側フォロー設定を保持するフォロー設定記憶部と、上記着信の発信局から、上記通話可能時刻に上記フォロー動作を自局又は相手局のいずれが行うのかを指定した発信側フォロー設定を受信するフォロー設定受信部と、上記着信側フォロー設定及び上記発信側フォロー設定に基づいて、自局及び上記発信局が上記通話可能時刻に上記フォロー動作を行うか否かをそれぞれ判定するフォロー動作判定部と、上記フォロー動作判定部の判定結果を上記発信局へ送信する判定結果送信部とを備えている。また、本発明による電話機は、着信に自動応答し、対応不能メッセージを通知するビジーモードを有する電話機において、上記ビジーモードの開始後に計時動作をスタートさせるタイマー部と、上記ビジーモード中に着信があった場合に、上記タイマー部のタイムアップ時に予め定められたフォロー動作を自局又は相手局のいずれが行うのかを指定した着信側フォロー設定を保持するフォロー設定記憶部と、上記着信の発信局から、上記タイマー部のタイムアップ時に上記フォロー動作を自局又は相手局のいずれが行うのかを指定した発信側フォロー設定を受信するフォロー設定受信部と、上記着信側フォロー設定及び上記発信側フォロー設定に基づいて、自局及び上記発信局が上記タイマー部のタイムアップ時に上記フォロー動作を行うか否かをそれぞれ判定するフォロー動作判定部と、上記フォロー動作判定部の判定結果を上記発信局へ送信する判定結果送信部とを備えている。
【００１５】
この様な構成により、ビジーモード中に着信があった場合に、その後の通話可能時刻に発信局又は着信局のいずれがフォロー動作を行うのかを着信局において判定することができる。しかも、この判定は、自局又は相手局のいずれがフォロー動作を行うのかについて、発信局において指定された発信側フォロー設定と、着信局において指定された着信側フォロー設定とに基づいて行われるため、発信局及び着信局の各ユーザの要望を反映し、これらを調整した判定結果が得られる。
【００１６】
（着信側アラーム設定の相手局への対応づけ）
第２の本発明による電話機は、上記構成に加えて、上記フォロー設定記憶部が、不特定の相手局に対応づけられた上記着信側フォロー設定と、予め指定された相手局にそれぞれ対応づけられた２以上の上記着信側フォロー設定とを保持し、上記フォロー動作判定部が、上記発信局に応じた上記着信側フォロー設定と、上記発信側フォロー設定とに基づいて、上記フォロー動作の判定を行うように構成される。
【００１７】
この様な構成により、着信局のユーザは、相手局に対応づけて異なる着信側フォロー設定を指定することができる。このため、フォロー動作に関する判定結果を発信局に応じて異ならせることができる。つまり、発信側フォロー設定が同一であったとしても、発信局に応じて判定結果を異ならせることができる。
【００１８】
（判定アルゴリズム１）
第３の本発明による電話機は、上記構成に加えて、上記フォロー動作判定部が、上記着信側フォロー設定及び上記発信側フォロー設定のうち、一方のフォロー設定が相手局を指定し、他方のフォロー設定が自局を指定している場合に、上記他方のフォロー設定を有する局のみが上記フォロー動作を行うと判定するように構成される。
【００１９】
この様な構成により、発信局及び着信局のユーザによる希望が一致している場合、両者の要望をともに反映させた判定が行われる。つまり、着信側フォロー設定が自局を指定し、発信側フォロー設定が相手局を指定している場合には、着信局がフォロー動作を行うと判定される。逆に、着信側フォロー設定が相手局を指定し、発信側フォロー設定が自局を指定している場合には、発信局がフォロー動作を行うと判定される。
【００２０】
（判定アルゴリズム２）
第４の本発明による電話機は、上記構成に加えて、上記フォロー動作判定部が、上記着信側フォロー設定及び上記発信側フォロー設定がいずれも自局を指定している場合に、上記発信局のみが上記フォロー動作を行うと判定するように構成される。
【００２１】
この様な構成により、発信局及び着信局のユーザが、ともに自局においてフォロー動作を行うことを要望している場合、発信局の要望を優先させた判定が行われる。発信局及び着信局の両方においてフォロー動作を行う必要はなく、また、着信局のユーザに伝えるべき用件の緊急性や重要性を理解しているのは発信局のユーザである。このため、発信側フォロー設定が自局を指定している場合には、着信側フォロー設定にかかわらず、発信局がフォロー動作を行うと判定され、発信局及び着信局のユーザの要望が一致しない場合の調整が行われる。
【００２２】
（アラーム出力の判定）
第５の本発明による電話機は、上記構成に加えて、上記フォロー動作には、アラーム出力が含まれ、上記着信側フォロー設定には、上記通話可能時刻にアラーム出力を自局又は相手局のいずれが行うのかを指定する着信側アラーム設定が含まれ、上記発信側フォロー設定には、上記通話可能時刻にアラーム出力を自局又は相手局のいずれが行うのかを指定する発信側アラーム設定が含まれ、上記フォロー動作判定部が、自局及び上記発信局が上記通話可能時刻にアラーム出力を行うか否かをそれぞれ判定するように構成される。
【００２３】
この様な構成により、ビジーモード中に着信があった場合に、その後の通話可能時刻に発信局又は着信局のいずれがアラーム出力を行うのかを着信局において判定することができる。しかも、この判定は、自局又は相手局のいずれがアラーム出力を行うのかについて、発信局において指定された発信側アラーム設定と、着信局において指定された着信側アラーム設定とに基づいて行われるため、発信局及び着信局の各ユーザの要望を反映し、これらを調整した判定結果が得られる。
【００２４】
（オートダイヤルの判定）
第６の本発明による電話機は、上記構成に加えて、上記フォロー動作には、オートダイヤルが含まれ、上記着信側フォロー設定には、上記通話可能時刻にオートダイヤルを自局又は相手局のいずれが行うのかを指定する着信側オートダイヤル設定が含まれ、上記発信側フォロー設定には、上記通話可能時刻にオートダイヤルを自局又は相手局のいずれが行うのかを指定する発信側オートダイヤル設定が含まれ、上記フォロー動作判定部が、自局及び上記発信局が上記通話可能時刻にオートダイヤルを行うか否かをそれぞれ判定するように構成される。
【００２５】
この様な構成により、ビジーモード中に着信があった場合に、その後の通話可能時刻に発信局又は着信局のいずれがオートダイヤルを行うのかを着信局において判定することができる。しかも、この判定は、自局又は相手局のいずれがオートダイヤルを行うのかについて、発信局において指定された発信側オートダイヤル設定と、着信局において指定された着信側オートダイヤル設定とに基づいて行われるため、発信局及び着信局の各ユーザの要望を反映し、これらを調整した判定結果が得られる。
【００２６】
（オートダイヤルの判定）
第７の本発明による電話機は、上記構成に加えて、上記フォロー動作が、アラーム出力及びオートダイヤルからなり、上記着信側フォロー設定が、上記通話可能時刻にアラーム出力を自局又は相手局のいずれが行うのかを指定する着信側アラーム設定と、上記通話可能時刻にオートダイヤルを自局又は相手局のいずれが行うのかを指定する着信側オートダイヤル設定とからなり、上記発信側フォロー設定が、上記通話可能時刻にアラーム出力を自局又は相手局のいずれが行うのかを指定する発信側アラーム設定と、上記通話可能時刻にオートダイヤルを自局又は相手局のいずれが行うのかを指定する発信側オートダイヤル設定とからなり、上記フォロー動作判定部が、アラーム出力及びオートダイヤルのそれぞれについて判定を行うように構成される。
【００２７】
（着信局で判定が行われる通話システムにおける発信局の構成）
第８の本発明による電話機は、着信に自動応答し、対応不能メッセージを通知するビジーモードを有する電話機へ発信することができる電話機において、上記ビジーモード中の着信局へ発信した場合に、当該着信局が指定する通話可能時刻に予め定められたフォロー動作を自局又は相手局のいずれが行うのかを指定した発信側フォロー設定を保持するフォロー設定記憶部と、上記着信局に対し、上記発信側フォロー設定を送信するフォロー設定送信部と、上記発信側フォロー設定に基づいて上記着信局が判定した上記フォロー動作の判定結果を上記着信局から受信する判定結果受信部とを備えている。また、本発明による電話機は、着信に自動応答し、対応不能メッセージを通知するビジーモードを有する電話機へ発信することができる電話機において、上記ビジーモード中の着信局へ発信した場合に、当該着信局が指定するタイマー部のタイムアップ時に予め定められたフォロー動作を自局又は相手局のいずれが行うのかを指定した発信側フォロー設定を保持するフォロー設定記憶部と、上記着信局に対し、上記発信側フォロー設定を送信するフォロー設定送信部と、上記着信局が上記発信側フォロー設定に基づいて判定した上記フォロー動作の判定結果を上記着信局から受信する判定結果受信部とを備えている。
【００２８】
この様な構成により、ビジーモード中の電話機に発信した場合に、発信側フォロー設定を着信局へ送信し、発信側フォロー設定に基づくフォロー動作の判定結果を着信局から受信することができる。このため、発信局は、発信局のユーザの要望を反映した着信局による判定結果に基づいて、フォロー動作を行うことができる。
【００２９】
（着信側アラーム設定の相手局への対応づけ）
第９の本発明による電話機は、上記構成に加えて、上記フォロー設定記憶部が、不特定の相手局に対応づけられた上記発信側フォロー設定と、予め指定された相手局にそれぞれ対応づけられた２以上の上記発信側フォロー設定とを保持し、上記フォロー設定送信部が、上記着信局に応じた上記発信側フォロー設定を送信するように構成される。
【００３０】
この様な構成により、発信局のユーザは、相手局に対応づけて異なる発信側フォロー設定を指定することができる。このため、フォロー動作に関する判定結果を着信局に応じて異ならせることができる。つまり、着信側フォロー設定が同一であったとしても、着信局に応じて判定結果を異ならせることができる。
【００３１】
（発信局で判定が行われる通話システムにおける発信局の構成）
第１０の本発明による電話機は、着信に自動応答し、対応不能メッセージを通知するビジーモードを有する電話機へ発信することができる電話機において、上記ビジーモード中の着信局へ発信した場合に、当該着信局が指定する通話可能時刻に予め定められたフォロー動作を自局又は相手局のいずれが行うのかを指定した発信側フォロー設定を保持するフォロー設定記憶部と、上記着信局から、上記通話可能時刻に上記フォロー動作を自局又は相手局のいずれが行うのかを指定した着信側フォロー設定を受信するフォロー設定受信部と、上記発信側フォロー設定及び上記着信側フォロー設定に基づいて、上記通話可能時刻に自局及び上記着信局のいずれが上記フォロー動作を行うのかを判定するフォロー動作判定部とを備えている。また、本発明による電話機は、着信に自動応答し、対応不能メッセージを通知するビジーモードを有する電話機へ発信することができる電話機において、上記ビジーモード中の着信局へ発信した場合に、当該着信局が指定するタイマー部のタイムアップ時に予め定められたフォロー動作を自局又は相手局のいずれが行うのかを指定した発信側フォロー設定を保持するフォロー設定記憶部と、上記着信局から、上記タイマー部のタイムアップ時に上記フォロー動作を自局又は相手局のいずれが行うのかを指定した着信側フォロー設定を受信するフォロー設定受信部と、上記発信側フォロー設定及び上記着信側フォロー設定に基づいて、上記タイマー部のタイムアップ時に自局及び上記着信局のいずれが上記フォロー動作を行うのかを判定するフォロー動作判定部とを備えている。
【００３２】
この様な構成により、ビジーモード中の電話機に発信した場合に、その後の通話可能時刻に発信局又は着信局のいずれがフォロー動作を行うのかを発信局において判定することができる。しかも、この判定は、自局又は相手局のいずれがフォロー動作を行うのかについて、発信局において指定された発信側フォロー設定と、着信局において指定された着信側フォロー設定とに基づいて行われるため、発信局及び着信局の各ユーザの要望を反映し、これらを調整した判定結果が得られる。
【００３３】
（着信側アラーム設定の相手局への対応づけ）
第１１の本発明による電話機は、上記構成に加えて、上記フォロー設定記憶部が、不特定の相手局に対応づけられた上記発信側フォロー設定と、予め指定された相手局にそれぞれ対応づけられた２以上の上記発信側フォロー設定とを保持し、上記フォロー動作判定部が、上記着信局に応じた上記発信側フォロー設定と、上記着信側フォロー設定とに基づいて、上記フォロー動作の判定を行うように構成される。
【００３４】
この様な構成により、発信局のユーザは、相手局に対応づけて異なる発信側フォロー設定を指定することができる。このため、フォロー動作に関する判定結果を着信局に応じて異ならせることができる。つまり、着信側フォロー設定が同一であったとしても、着信局に応じて判定結果を異ならせることができる。
【００３５】
（判定アルゴリズム１）
第１２の本発明による電話機は、上記構成に加えて、上記フォロー動作判定部が、上記発信側フォロー設定及び上記着信側フォロー設定のうち、一方のフォロー設定が相手局を指定し、他方のフォロー設定が自局を指定している場合に、上記他方のフォロー設定を有する局のみが上記フォロー動作を行うと判定するように構成される。
【００３６】
この様な構成により、発信局及び着信局のユーザによる希望が一致している場合、両者の要望をともに反映させた判定が行われる。つまり、着信側フォロー設定が自局を指定し、発信側フォロー設定が相手局を指定している場合には、着信局がフォロー動作を行うと判定される。逆に、着信側フォロー設定が相手局を指定し、発信側フォロー設定が自局を指定している場合には、発信局がフォロー動作を行うと判定される。
【００３７】
（判定アルゴリズム２）
第１３の本発明による電話機は、上記構成に加えて、上記フォロー動作判定部が、上記発信側フォロー設定及び上記着信側フォロー設定がいずれも自局を指定している場合に、上記着信の発信局のみが上記フォロー動作を行うと判定するように構成される。
【００３８】
この様な構成により、発信局及び着信局のユーザが、ともに自局においてフォロー動作を行うことを要望している場合、発信局の要望を優先させた判定が行われる。発信局及び着信局の両方においてフォロー動作を行う必要はなく、また、着信局のユーザに伝えるべき用件の緊急性や重要性を理解しているのは発信局のユーザである。このため、発信側フォロー設定が自局を指定している場合には、着信側フォロー設定にかかわらず、発信局がフォロー動作を行うと判定され、発信局及び着信局のユーザの要望が一致しない場合の調整が行われる。
【００３９】
（判定アルゴリズム３）
第１４の本発明による電話機は、上記構成に加えて、上記フォロー動作判定部によって、上記発信局および上記着信局がともに上記フォロー動作を行わないと判定される場合に、自局が上記フォロー動作を行うことをユーザに促し、ユーザの操作入力に基づいて、上記フォロー動作判定部による判定結果を変更する判定結果変更部を備えている。
【００４０】
発信局及び着信局のユーザが、ともに相手局がフォロー動作を行うことを要望している場合、フォロー動作判定部は、発信局及び着信局のユーザの要望を反映し、いずれもフォロー動作を行わないと判定する。この様な場合に、発信局のユーザに対し、自局がフォロー動作を行うことを促すことにより、発信局及び着信局がともにフォロー動作を行わないという状態を回避することが可能になる。
【００４１】
（アラーム出力の判定）
第１５の本発明による電話機は、上記構成に加えて、上記フォロー動作には、アラーム出力が含まれ、上記発信側フォロー設定には、上記通話可能時刻にアラーム出力を自局又は相手局のいずれが行うのかを指定する発信側アラーム設定が含まれ、上記着信側フォロー設定には、上記通話可能時刻にアラーム出力を自局又は相手局のいずれが行うのかを指定する着信側アラーム設定が含まれ、上記フォロー動作判定部が、自局及び上記着信局が上記通話可能時刻にアラーム出力を行うか否かをそれぞれ判定するように構成される。
【００４２】
この様な構成により、ビジーモード中の電話機へ発信した場合に、その後の通話可能時刻に発信局又は着信局のいずれがアラーム出力を行うのかを発信局において判定することができる。しかも、この判定は、自局又は相手局のいずれがアラーム出力を行うのかについて、発信局において指定された発信側アラーム設定と、着信局において指定された着信側アラーム設定とに基づいて行われるため、発信局及び着信局の各ユーザの要望を反映し、これらを調整した判定結果が得られる。
【００４３】
（オートダイヤルの判定）
第１６の本発明による電話機は、上記構成に加えて、上記フォロー動作には、オートダイヤルが含まれ、上記発信側フォロー設定には、上記通話可能時刻にオートダイヤルを自局又は相手局のいずれが行うのかを指定する発信側オートダイヤル設定が含まれ、上記着信側フォロー設定には、上記通話可能時刻にオートダイヤルを自局又は相手局のいずれが行うのかを指定する着信側オートダイヤル設定が含まれ、上記フォロー動作判定部が、自局及び上記着信局が上記通話可能時刻にオートダイヤルを行うか否かをそれぞれ判定するように構成される。
【００４４】
（アラーム出力及びオートダイヤルの判定）
第１７の本発明による電話機は、上記構成に加えて、上記フォロー動作が、アラーム出力及びオートダイヤルからなり、上記発信側フォロー設定は、上記通話可能時刻にアラーム出力を自局又は相手局のいずれが行うのかを指定する発信側アラーム設定と、上記通話可能時刻にオートダイヤルを自局又は相手局のいずれが行うのかを指定する発信側オートダイヤル設定とからなり、上記着信側フォロー設定が、上記通話可能時刻にアラーム出力を自局又は相手局のいずれが行うのかを指定する着信側アラーム設定と、上記通話可能時刻にオートダイヤルを自局又は相手局のいずれが行うのかを指定する着信側オートダイヤル設定とからなり、上記フォロー動作判定部が、アラーム出力及びオートダイヤルのそれぞれについて判定を行うように構成される。
【００４５】
（発信局で判定が行われる通話システムにおける着信局の構成）
第１８の本発明による電話機は、着信に自動応答し、対応不能メッセージを通知するビジーモードを有する電話機において、上記ビジーモードの開始後に通話可能になる通話可能時刻を指定するための通話可能時刻指定部と、上記ビジーモード中に着信があった場合に、上記通話可能時刻に予め定められたフォロー動作を自局又は相手局のいずれが行うのかを指定した着信側フォロー設定を保持するフォロー設定記憶部と、上記着信の発信局に対し、上記着信側フォロー設定を送信するフォロー設定送信部と、上記着信側フォロー設定に基づいて上記発信局が判定した上記フォロー動作の判定結果を上記発信局から受信する判定結果受信部とを備えている。また、本発明による電話機は、着信に自動応答し、対応不能メッセージを通知するビジーモードを有する電話機において、上記ビジーモードの開始後に計時動作をスタートさせるタイマー部と、上記ビジーモード中に着信があった場合に、上記タイマー部のタイムアップ時に予め定められたフォロー動作を自局又は相手局のいずれが行うのかを指定した着信側フォロー設定を保持するフォロー設定記憶部と、上記着信の発信局に対し、上記着信側フォロー設定を送信するフォロー設定送信部と、上記発信局が上記着信側フォロー設定に基づいて判定した上記フォロー動作の判定結果を上記発信局から受信する判定結果受信部とを備えている。
【００４６】
この様な構成により、ビジーモード中に着信があった場合に、着信側フォロー設定を発信局へ送信し、着信側フォロー設定に基づくフォロー動作の判定結果を発信局から受信することができる。このため、着信局は、着信局のユーザの要望を反映した発信局による判定結果に基づいて、フォロー動作を行うことができる。
【００４７】
（発信側アラーム設定の相手局への対応づけ）
第１９の本発明による電話機は、上記構成に加えて、上記フォロー設定記憶部が、不特定の相手局に対応づけられた上記着信側フォロー設定と、予め指定された相手局にそれぞれ対応づけられた２以上の上記着信側フォロー設定とを保持し、上記フォロー設定送信部が、上記発信局に応じた上記着信側フォロー設定を送信するように構成される。
【００４８】
この様な構成により、着信局のユーザは、相手局に対応づけて異なる着信側フォロー設定を指定することができる。このため、フォロー動作に関する判定結果を発信局に応じて異ならせることができる。つまり、発信側フォロー設定が同一であったとしても、発信局に応じて判定結果を異ならせることができる。
【発明の効果】
【００４９】
本発明によれば、ビジーモード中に着信があった場合に、自局及び発信局の各ユーザの要望に応じて、その後に自局又は発信局のいずれから電話をかけ直すのかを判定する電話機を提供することができる。特に、ビジーモード中の着信による呼接続中に、将来の通話が可能になった時点において自局又は発信局のいずれから電話をかけ直すのかを判定する電話機を提供することができる。また、相手局ごとに異なる要望を予め指定することができる電話機を提供することができる。
【００５０】
また、本発明によれば、ビジーモード中に着信があった場合に、将来の通話可能になった時点において自局又は発信局のいずれがアラーム出力を行うのかを判定する電話機を提供することができる。また、ビジーモード中に着信があった場合に、将来の通話が可能になった時点において自局又は発信局のいずれがオートダイヤルを行うのかを判定する電話機を提供することができる。さらに、上記判定結果に応じて、アラーム出力又はオートダイヤルを行う電話機を提供することができる。
【００５１】
また、本発明によれば、ビジーモード中の電話機へ発信した場合に、自局及び着信局の各ユーザの要望に応じて、ビジーモード終了後に自局又は着信局のいずれから電話をかけ直すのかを判定する電話機を提供することができる。特に、ビジーモード中の電話機への発信による呼接続中に、将来の通話可能になった時点において自局又は着信局のいずれから電話をかけ直すのかを判定する電話機を提供することができる。また、相手局ごとに異なる要望を予め指定することができる電話機を提供することができる。
【００５２】
また、本発明によれば、ビジーモード中の電話機へ発信した場合に、将来の通話可能になった時点において自局又は着信局のいずれがアラーム出力を行うのかを判定する電話機を提供することができる。また、ビジーモード中の電話機へ発信した場合に、将来の通話可能になった時点において自局又は着信局のいずれがオートダイヤルを行うのかを判定する電話機を提供することができる。さらに、上記判定結果に応じて、アラーム出力又はオートダイヤルを行う電話機を提供することができる。
【図面の簡単な説明】
【００５３】
【図１】本発明の実施の形態１による携帯電話機１００による動作の一例を示したシーケンス図である。
【図２】本発明の実施の形態１による携帯電話機１００の一構成例を示した外観図である。
【図３】図２の携帯電話機１００のハードウエア構成の一例を示したブロック図である。
【図４】着信局ＳＴ２として動作する場合の携帯電話機１００について主な機能ブロックを示した図である。
【図５】発信局ＳＴ１として動作する場合の携帯電話機１００について主な機能ブロックを示した図である。
【図６】図４及び図５のフォロー設定記憶部２５に保持されているフォロー設定ＦＳの一例を示した図である。
【図７】図４のフォロー動作判定部２４による判定処理の一例を示した判定テーブルである。
【図８】図２の携帯電話機１００における動作の一例を示したフローチャートであり、モード切り替え処理の一例が示されている。
【図９】図２の携帯電話機１００における着信処理の一例を示したフローチャートである。
【図１０】図９に続くフローチャートである。
【図１１】図２の携帯電話機１００における発信処理の一例を示したフローチャートである。
【図１２】図１１に続くフローチャートである。
【図１３】フォロー動作の予約処理の一例を示したフローチャートである。
【図１４】本発明の実施の形態２による携帯電話機１０１による動作の一例を示したシーケンス図である。
【図１５】着信局ＳＴ２として動作する場合の携帯電話機１０１について主な機能ブロックを示した図である。
【図１６】発信局ＳＴ１として動作する場合の携帯電話機１０１について主な機能ブロックを示した図である。
【図１７】図１５の携帯電話機１０１における着信処理の一例を示したフローチャートである。
【図１８】図１７に続くフローチャートである。
【図１９】図１６の携帯電話機１０１における発信処理の一例を示したフローチャートである。
【図２０】図１９に続くフローチャートである。
【図２１】判定結果の承認処理の一例を示したフローチャートである。
【発明を実施するための形態】
【００５４】
実施の形態１．
本実施の形態では、ビジーモード中に着信があった場合、その後の通話可能時刻に発信局又は着信局のいずれがフォロー動作を行うのかを着信局において判定する場合の例について説明する。
【００５５】
ビジーモードとは、着信時に自動的に呼接続処理を行って、対応不能メッセージＭＳＧを発信局へ通知した後、自動的に呼切断処理を行う動作モードであり、ビジーモードの開始及び終了は、ユーザ操作に基づいて行われる。例えば、ユーザが運転中、会議中、就寝中などである場合に利用される。対応不能メッセージＭＳＧは、予め定められた音声メッセージであり、例えば「ただいま電話に出ることができません」というような音声メッセージである。なお、ビジーモード中の着信時に鳴動又は振動による着信呼出を行うか否かは任意である。
【００５６】
フォロー動作とは、ビジーモード中に着信があった場合、その後の通話可能時刻Ｔｃに発信局ＳＴ１又は着信局ＳＴ２において行われる予め定められた動作である。ここでは、フォロー動作として、アラーム出力又はオートダイヤルが行われるものとする。発信局ＳＴ１及び着信局ＳＴ２のいずれがフォロー動作を行うのか、また、どのようなフォロー動作を行うのかは、発信局ＳＴ１及び着信局ＳＴ２において予め指定されたフォロー設定ＦＳに基づいて着信局ＳＴ２により判定され、発信局ＳＴ１及び着信局ＳＴ２は、この判定結果ＲＳに基づいて、通話可能時刻Ｔｃにフォロー動作を行う。
【００５７】
フォロー設定ＦＳは、上記フォロー動作を自局又は相手局のいずれが行うのかを指定したデータであり、ユーザによって予め指定され、発信局ＳＴ１及び着信局ＳＴ２がそれぞれ保持している。ここでは、発信局ＳＴ１のフォロー設定ＦＳを発信側フォロー設定ＦＳ１と呼び、着信局ＳＴ２のフォロー設定ＦＳを着信側フォロー設定ＦＳ２と呼ぶことにする。また、フォロー設定ＦＳは、アラーム出力のためのアラーム設定ＦＳＡと、オートダイヤルのためのオートダイヤル設定ＦＳＤとからなる。
【００５８】
通話可能時刻Ｔｃとは、上記ビジーモードの開始後に、再び通話可能な状況になると予想される時刻であり、ビジーモードの開始前にユーザによって指定される。例えば、ユーザがビジーモードの開始操作を行えば、通話可能時刻Ｔｃの入力が求められ、通話可能時刻Ｔｃを入力することによってビジーモードが開始される。なお、この通話可能時刻Ｔｃは、ビジーモードの終了時刻と必ずしも一致している必要はない。ビジーモードは、通話が可能になった時点におけるユーザ操作によって終了するため、ビジーモード開始時にビジーモード終了時刻を正確に予測するのは難しい場合がある。また、ビジーモード終了からフォロー動作が行われるまでに時間を空けたい場合、例えば、自動車の運転終了時にビジーモードを終了させるが、ビジーモード中の着信に対するフォロー動作は更に３０分休憩した後に行わせたいというような場合もある。このため、通話可能時刻Ｔｃは、予想されるビジーモード終了時刻以後の時刻であればよい。
【００５９】
（ビジーモード中の着信時のシーケンス）
図１は、本発明の実施の形態１による電話機による動作の一例を示したシーケンス図であり、一方の電話機（発信局ＳＴ１）から他方の電話機（着信局ＳＴ２）へ発信が行われたときの動作が示されている。
【００６０】
まず、着信局ＳＴ２においてビジーモードの開始操作が行われ、ビジーモードが開始される（ステップＭ１）。ビジーモードは、ユーザが通話可能時刻Ｔｃを入力することによって開始する。次に、発信局ＳＴ１のユーザが、発信先として着信局ＳＴ２を指定するダイヤル操作を行うことにより、発信局ＳＴ１から着信局ＳＴ２への発信が行われ、着信局ＳＴ２は呼出信号ＩＲを受信する（ステップＮ１）。ビジーモード中に着信した着信局ＳＴ２は、自動的に着信応答信号ＲＰを送信し、呼接続処理が行われる。
【００６１】
発信局ＳＴ１及び着信局ＳＴ２間の呼接続が確立すれば、着信局ＳＴ２から発信局ＳＴ１へ対応不能メッセージＭＳＧが送信され、引き続きフォロー設定要求ＦＳＲが送信される。フォロー設定要求ＦＳＲを受信した発信局ＳＴ１は、ユーザにより予め指定された発信側フォロー設定ＦＳ１を着信局ＳＴ２へ送信する。
【００６２】
発信側フォロー設定ＦＳ１を受信した着信局ＳＴ２は、当該発信側フォロー設定ＦＳ１と、ユーザにより予め指定された着信側フォロー設定ＦＳ２とに基づいて、フォロー動作の判定を行う（ステップＭ２）。例えば、発信局ＳＴ１又は着信局ＳＴ２が通話可能時刻Ｔｃにアラーム出力を行うのかを判定する。また、発信局ＳＴ１又は着信局ＳＴ２が通話可能時刻Ｔｃにオートダイヤルを行うのかを判定する。これらの判定結果ＲＳ及び通話可能時刻Ｔｃは、着信局ＳＴ２から発信局ＳＴ１へ送信され、その後に発信局ＳＴ１及び着信局ＳＴ２間の呼接続が遮断される。
【００６３】
フォロー設定ＦＳは、フォロー動作を実行する実行局が自局又は相手局のいずれであるのかをユーザが予め指定したデータであり、発信局ＳＴ１及び着信局ＳＴ２がそれぞれ保持している。また、相手局ごとにフォロー設定ＦＳを指定しておくこともできる。フォロー動作の判定は、発信側フォロー設定ＦＳ１及び着信側フォロー設定ＦＳ２に基づいて行われるため、発信局ＳＴ１及び着信局ＳＴ２のユーザの要望を反映させた判定を行うことができる。
【００６４】
上記判定結果ＲＳは、呼切断後に発信局ＳＴ１及び着信局ＳＴ２の双方において画面表示される（ステップＮ２，Ｍ３）。ここでは、発信局ＳＴ１が通話可能時刻Ｔｃにアラーム出力を行い、着信局ＳＴ２は何も行わないという判定結果ＲＳが画面表示されるものとする。例えば、表示画面には「相手先の電話番号は０９０１２３４５６７８です」のように相手先の電話番号が表示され、「相手先が通話可能になる時刻は○○時○○分です」というように通話可能時刻Ｔｃが表示され、「この電話機は上記時刻にアラーム出力を行います」というように判定結果ＲＳが表示される。これらの表示は、その後のユーザ操作によって、いつでも再表示させることができる。
【００６５】
次に、上記判定結果ＲＳに基づくフォロー動作の予約が行われる（ステップＮ３）。ここでは、発信局ＳＴ１において、通話可能時刻Ｔｃにアラーム出力を行うためのタイマー予約が行われる。一方、フォロー動作を行わない着信局ＳＴ２では、予約処理は行われない。
【００６６】
その後、着信局ＳＴ２では、通話可能な状態になったユーザによりビジーモードの終了操作が行われ、ビジーモードが終了する（ステップＭ４）。一方、発信局ＳＴ１では、着信局ＳＴ２において予め指定された通話可能時刻Ｔｃになれば、アラーム出力が行われる。例えば、放音又は振動によるアラーム出力が行われるとともに、「着信局ＳＴ２へ電話をかけて下さい。」というメッセージが画面表示される。このため、発信局ＳＴ１のユーザは、通話可能時刻Ｔｃに着信局ＳＴ２へ電話をかけるのを失念する心配がなくなる。
【００６７】
なお、上記判定結果ＲＳが発信局ＳＴ１によるオートダイヤルであった場合には、通話可能時刻Ｔｃに着信局ＳＴ２に対するオートダイヤル（自動発信）が行われる。同様にして、上記判定結果ＲＳが、着信局ＳＴ２によるアラーム出力又はオートダイヤルであった場合には、通話可能時刻Ｔｃに、着信局ＳＴ２において、アラーム出力又はオートダイヤルが行われる。
【００６８】
（携帯電話機１００の外観）
図２は、本発明の実施の形態１による電話機の一構成例を示した外観図である。この図に示された携帯電話機１００は、本発明に係る電話機の一例であり、本発明は、携帯電話機のみに限定されない。例えば、公衆回線網に有線接続された電話機にも適用することができる。
【００６９】
携帯電話機１００は、その筐体前面に、操作入力部１２、表示装置１３、レシーバ１４ａ及びマイクロホン１４ｂが配置されている。操作入力部１２は、ユーザが操作入力を行うための操作キーからなる。表示装置１３は、ユーザに対し情報表示を行うための画像表示部であり、例えば液晶表示パネルが用いられる。ここでは、操作入力部１２が押下スイッチである場合の例を示したが、表示装置１３の表示面に対するユーザ操作を検出するタッチセンサであってもよい。レシーバ１４ａ及びマイクロホン１４ｂは、通話用の入出力装置であり、操作入力部１２及び表示装置１３を挟んで筐体の長手方向の反対側に配置されている。
【００７０】
（携帯電話機１００のハードウエア構成）
図３は、図２の携帯電話機１００の内部構成の一例を示したブロック図であり、携帯電話機１００の主なハードウエア構成が示されている。主制御部１０は、携帯電話機１００の主要な動作を制御するプロセッサである。無線部１１は、アンテナを介して、セルラー基地局（不図示）との間で無線信号の送受信を行っている。音声制御部１４は、レシーバ１４ａ及びマイクロホン１４ｂを制御し、通話音の入出力を行っている。アラーム出力部１５は、スピーカ１５ａ及びバイブレータ１５ｂを制御し、着信呼出やアラーム出力を行う。着信呼出及びアラーム出力は、スピーカ１５ａによる放音とバイブレータ１５ｂによる振動の両方であってもよいし、一方のみであってもよい。
【００７１】
図４及び図５は、図２の携帯電話機１００の要部について機能構成の一例を示したブロック図であり、図４は、着信局ＳＴ２として動作する場合における主な機能ブロックを示した図であり、図５は、発信局ＳＴ１として動作する場合における主な機能ブロックを示した図である。
【００７２】
なお、同一の携帯電話機１００が、着信時には図４の着信局ＳＴ２として機能し、発信時には図５の発信局ＳＴ１として機能することは言うまでもない。また、図４及び図５において互いに対応する機能ブロックには、同一の符号を付し、重複する説明は適宜省略する。また、図４及び図５に示された各機能ブロックは、主制御部１０によって実行されるコンピュータプログラムとして実現されるものであってもよいし、ハードウエアによって実現されるものであってもよい。
【００７３】
（着信局ＳＴ２の機能構成）
まず、図４を用いて、着信局ＳＴ２の機能構成について説明する。ビジーモード制御部２０は、ビジーモード中における着信時の動作を制御する制御手段であり、自動応答制御部２０ａ及びメッセージ出力部２０ｂからなる。
【００７４】
自動応答制御部２０ａは、ビジーモード中の着信検出信号に基づいて、呼接続を確立するための着信応答処理を行う。着信検出信号は、セルラー基地局から呼出信号ＩＲを受信したことを示す信号であり、無線部１１が出力する受信信号に基づいて着信検出部２１が生成する。自動応答制御部２０ａは、ビジーモード中に呼出信号ＩＲが検出されると、着信応答信号ＲＰを生成する。この着信応答信号ＲＰは、無線部１１によってセルラー基地局へ送信され、更にセルラー通信網を介して発信局ＳＴ１へ送信され、発信局ＳＴ１及び着信局ＳＴ２の間の呼接続が確立される。
【００７５】
メッセージ出力部２０ｂは、自動応答制御部２０ａによる呼接続の確立後に、対応不能メッセージＭＳＧを出力する。対応不能メッセージＭＳＧは、予め指定された音声メッセージであり、無線部１１が、送話信号として発信局ＳＴ１へ送信する。対応不能メッセージの送信が終了すれば、ビジーモード制御部２０からフォロー動作制御部２２へメッセージ送信の終了信号が出力される。
【００７６】
フォロー動作制御部２２は、フォロー動作に関する処理シーケンスを制御している。フォロー動作制御部２２は、フォロー設定受信部３１、フォロー設定要求送信部３２及び判定結果送信部３３を制御し、発信局ＳＴ１との通信処理を制御している。また、通話可能時刻記憶部２３、フォロー動作判定部２４及びフォロー動作予約部２６を制御し、フォロー動作の判定処理及び予約処理を制御している。さらに、表示装置１３を制御し、フォロー動作の判定結果ＲＳの表示処理を制御している。
【００７７】
ビジーモード中に着信があった場合、ビジーモード制御部２０からのメッセージ送信終了信号に基づいて、フォロー設定要求送信部３２が、発信局ＳＴ１に対しフォロー設定要求ＦＳＲを送信する。フォロー設定要求ＦＳＲは、相手局が保持しているフォロー設定ＦＳを要求する信号であり、当該着信による呼接続中に送信される。フォロー設定要求ＦＳＲに基づいて発信局ＳＴ１から送信された発信側フォロー設定ＦＳ１は、フォロー設定受信部３１によって受信される。
【００７８】
フォロー動作判定部２４は、発信局ＳＴ１から受信した発信側フォロー設定ＦＳ１と、フォロー設定記憶部２５内に保持されている着信側フォロー設定ＦＳ２とに基づいて、フォロー動作の判定を行う。すなわち、発信局ＳＴ１及び着信局ＳＴ２の各ユーザの意思を反映させて、発信局ＳＴ１又は着信局ＳＴ２のいずれがフォロー動作を行うのか、また、どのようなフォロー動作を行うのかを判定する。この判定結果ＲＳが判定結果送信部３３よって発信局ＳＴ１へ送信された後、自動応答制御部２０ａによって呼切断処理が行われ、発信局ＳＴ１との呼接続が切断される。また、上記判定結果ＲＳは、フォロー動作制御部２２によって表示装置１３に出力され、画面表示される。
【００７９】
さらに、フォロー動作の判定結果ＲＳが、着信局ＳＴ２においてフォロー動作を行うという内容であった場合には、フォロー動作予約部２６がフォロー動作を予約する。つまり、通話開始時刻にタイムアップするようにタイマー部２７に計測時間をセットし、タイマー部２７の計時動作をスタートさせる。
【００８０】
その後、応答可能時刻になれば、タイマー部２７からタイムアップ信号が出力され、予約されていたフォロー動作が行われる。例えば、フォロー動作の判定結果ＲＳが着信局ＳＴ２におけるアラーム出力であれば、タイマー部２７のタイムアップ時に、アラーム出力部１５がアラーム出力を行う。また、フォロー動作の判定結果ＲＳが着信局ＳＴ２におけるオートダイヤルであれば、タイマー部２７のタイムアップ時に、オートダイヤル部２８がオートダイヤルを行う。
【００８１】
（発信局ＳＴ１の機能構成）
次に、図５を用いて、発信局ＳＴ１の機能構成について説明する。発信局ＳＴ１のフォロー動作制御部２２は、フォロー設定要求受信部３５、判定結果受信部３６及びフォロー設定送信部３７を制御し、着信局ＳＴ２との通信処理を制御している。また、フォロー動作予約部２６を制御し、フォロー動作の予約処理を制御している。さらに、表示装置１３を制御し、フォロー動作の判定結果ＲＳの表示処理を制御している。
【００８２】
ビジーモード中の電話機に発信した場合、フォロー設定要求受信部３５が、着信局ＳＴ２からフォロー設定要求ＦＳＲを受信する。このフォロー設定要求ＦＳＲに基づいて、フォロー動作制御部２２がフォロー設定記憶部２５からフォロー設定ＦＳを読み出し、読み出されたフォロー設定ＦＳが、発信側フォロー設定ＦＳ１として、フォロー設定送信部３７により着信局ＳＴ２へ送信される。
【００８３】
その後、判定結果受信部３６が、フォロー動作の判定結果ＲＳ及び通話可能時刻Ｔｃを着信局ＳＴ２から受信し、着信局ＳＴ２との呼接続を切断する。受信した判定結果ＲＳ及び通話可能時刻Ｔｃは、フォロー動作制御部２２によって表示装置１３に出力され、画面表示される。また、フォロー動作の判定結果ＲＳが、発信局ＳＴ１においてフォロー動作を行うという内容であった場合には、フォロー動作予約部２６がフォロー動作を予約する。すなわち、通話開始時刻にタイムアップするようにタイマー部２７に計測時間をセットし、タイマー部２７の計時動作をスタートさせる。
【００８４】
その後、応答可能時刻になれば、タイマー部２７からタイムアップ信号が出力され、予約されていたフォロー動作が行われる。例えば、フォロー動作の判定結果ＲＳが発信局ＳＴ１におけるアラーム出力であれば、タイマー部２７のタイムアップ時に、アラーム出力部１５がアラーム出力を行う。また、フォロー動作の判定結果ＲＳが発信局におけるオートダイヤルであれば、タイマー部２７のタイムアップ時に、オートダイヤル部２８がオートダイヤルを行う。
【００８５】
（フォロー設定ＦＳ）
図６は、図４及び図５のフォロー設定記憶部２５に保持されているフォロー設定ＦＳの一例を示した図であり、ここでは、電話帳の一部を構成している場合の例が示されている。フォロー設定ＦＳは、フォロー動作の実行局として、自局又は相手局のいずれか一方を指定するデータからなる。つまり、自局又は相手局のいずれがフォロー動作を実行するのかが指定されている。また、実行局はフォロー動作ごとに指定されている。ここでは、フォロー動作がアラーム出力及びオートダイヤルからなり、フォロー設定ＦＳは、アラーム出力の実行局を指定するアラーム設定ＦＳＡと、オートダイヤルの実行局を指定するオートダイヤル設定ＦＳＤとからなる。
【００８６】
アラーム設定ＦＳＡに「自局」を指定すれば、自局がアラーム出力を行うことを希望することを意味し、「相手局」を指定すれば、相手局がアラーム出力を行うことを希望することを意味する。同様にして、オートダイヤル設定ＦＳＤに「自局」を指定すれば、自局がオートダイヤルを行うことを希望することを意味し、「相手局」を指定すれば、相手局がオートダイヤルを行うことを希望することを意味する。
【００８７】
さらに、フォロー設定ＦＳは、不特定の相手局及び予め指定された１又は２以上の相手局にそれぞれ対応づけられている。ここでは、フォロー設定記憶部２５が、電話帳に登録された相手局ごとにフォロー設定ＦＳを保持しているため、相手局に応じて異なるフォロー設定ＦＳを指定することができる。一般に、電話帳には名前、電話番号、住所などを登録することができるが、少なくとも電話番号が登録されていれば、当該電話番号に対応づけてフォロー設定ＦＳを指定することができ、相手局の電話番号に応じたフォロー設定ＦＳを用いることができる。一方、相手局が電話帳に電話番号が登録されていない電話帳非登録者であった場合には、電話帳非登録者のフォロー設定ＦＳが用いられる。つまり、不特定の相手局には、共通のフォロー設定ＦＳが用いられる。
【００８８】
図中では、「安部」さんが相手局である場合のアラーム設定ＦＳＡ及びオートダイヤル設定ＦＳＤとして、ともに「自局」が指定されている。また、「山田」さんが相手局である場合のアラーム設定ＦＳＡとして「自局」、オートダイヤル設定ＦＳＤとして「相手局」が指定されている。また、「佐藤」さんが相手局である場合のアラーム設定ＦＳＡ及びオートダイヤル設定ＦＳＤとして、ともに「相手局」が指定されている。
【００８９】
この様にして、相手局ごとに異なるフォロー設定ＦＳを指定することができれば、特定の相手局についてだけ、自局によるアラーム出力やオートダイヤルを許可するというような利用が可能になる。例えば、ユーザが営業担当者である場合、ビジネス上の大切な顧客については、フォロー設定ＦＳに「自局」を指定しておくことにより、ビジーモード中に着信があれば、通話可能時刻Ｔｃに自ら発信して用件を聞くことができ、利便性を向上させることができる。
【００９０】
なお、アラーム設定ＦＳＡを「相手局」とし、かつ、オートダイヤル設定ＦＳＤを「自局」とするフォロー設定を指定することは禁止されている。この様な設定を行った場合、アラーム出力が行われることなく、オートダイヤルが行われ、ユーザが気づかないうちに自動発信するという不都合が生じるのを防止するためである。
【００９１】
また、ここでは、自局が発信局ＳＴ１及び着信局ＳＴ２のいずれの場合であっても、同じフォロー設定ＦＳが使用されるものとする。ただし、フォロー設定記憶部２５が、互いに異なる発信側フォロー設定ＦＳ１及び着信側フォロー設定ＦＳ２を保持し、発信局ＳＴ１として動作する場合には発信側フォロー設定ＦＳ１を使用し、着信局ＳＴ２として動作する場合には着信側フォロー設定ＦＳ２を使用するように構成することもできる。
【００９２】
（判定テーブル）
図７は、図４のフォロー動作判定部２４による判定処理の一例を示した判定テーブルである。この判定テーブルの各行には、発信局ＳＴ１及び着信局ＳＴ２のフォロー設定ＦＳの組み合わせが示され左側に示され、これらの組み合わせに対応する判定結果ＲＳが右側に示されている。また、フォロー設定ＦＳにおける「０」は相手局が指定されていることを意味し、「１」は自局が指定されていることを意味する。また、判定結果における「○」はそのフォロー動作を実行することを意味し、「×」はそのフォロー動作を実行しないことを意味する。
【００９３】
発信局ＳＴ１及び着信局ＳＴ２は、いずれも自らのフォロー設定ＦＳにおいて「自局」を指定していなければ、自局がフォロー動作の実行局になることはない。このため、自局においてフォロー動作を行うことを望まない場合、「相手局」を指定しておくことによって、自局が「実行する」と判定されることはない。つまり、「相手局」を指定することは自局によるフォロー動作を許可しないことを意味し、「自局」を指定することは自局によるフォロー動作を許可することを意味する。
【００９４】
要するに、発信局ＳＴ１及び着信局ＳＴ２の一方が「自局」を指定し、他方が「相手局」を指定していれば、上記一方のみが実行局と判定される。また、発信局ＳＴ１及び着信局ＳＴ２がともに「相手局」を指定していた場合、フォロー動作が実行されることはない。
【００９５】
さらに、発信局ＳＴ１及び着信局ＳＴ２がともに「自局」を指定していた場合、発信局ＳＴ１のみがフォロー動作を実行すると判定される。発信局ＳＴ１及び着信局ＳＴ２がともにフォロー動作を実行する必要はないため、両者がともに「実行する」と判定されることはなく、用件の緊急性や重要性を把握しているのは、発信局ＳＴ１のユーザであることから、ともに「自局」指定している場合には、発信局ＳＴ１がフォロー動作の実行局になるのが望ましいと考えられるからである。
【００９６】
図８は、図２の携帯電話機１００における動作の一例を示したフローチャートであり、モード切り替え処理の一例が示されている。ビジーモードを開始又は終了するためのモード切り替え処理は、操作入力部１３に対するユーザ操作に基づいて行われる。例えば、携帯電話機１００が、非ビジーモード及びビジーモードを交互に切り替えるためのモード切り替えキーを備え、ユーザがモード切り替えキーを操作した場合に図８の処理が開始される。なお、ビジーモードの切り替え操作は、専用キーの操作でなくてもよく、メニューの選択操作であってもよい。
【００９７】
ユーザがモード切り替え操作を行った場合、ビジーモード中であるか否かが判別される（ステップＳ１０１）。ビジーモード中でなければ、「ビジーモードを開始しますか」と画面表示され、ビジーモード開始の確認操作を行うことをユーザに促す（ステップＳ１０２）。そして、ユーザがビジーモード開始の確認操作を行えば、通話可能時刻Ｔｃの入力が求められる（ステップＳ１０３）。通話可能時刻Ｔｃは、ユーザが任意に指定することができる将来の時刻である。通話可能時刻Ｔｃの指定方法は、その時刻を入力する方法であってよいし、通話可能時刻Ｔｃまでの時間を入力する方法であってもよい。ユーザが通話可能時刻Ｔｃを指定すれば、ビジーモードが開始され、当該モード切り替え処理を終了する（ステップＳ１０４）。
【００９８】
一方、ステップＳ１０１においてビジーモード中であった場合には、「ビジーモードを終了しますか」と画面表示され、ビジーモード終了の確認操作を行うことをユーザに促す（ステップＳ１０５）。そして、ユーザがビジーモード終了の確認操作を行えば、ビジーモードが終了し、当該モード切り替え処理を終了する（ステップＳ１０６）。なお、ステップＳ１０２及びＳ１０５において、ユーザが確認操作を行うことなく一定時間が経過すれば、ビジーモードの開始及び終了を行うことなく当該モード切り替え処理を終了する。
【００９９】
（着信処理）
図９及び図１０のステップＳ２０１〜Ｓ２１５は、図２の携帯電話機１００の動作の一例を示したフローチャートであり、着信処理の一例が示されている。
【０１００】
このフローチャートは、セルラー基地局から呼出信号ＩＲを受信した場合に実行される。呼出信号ＩＲは、無線部１１によって受信され、着信検出部２１によって検出され、着信検出信号が生成される。このとき、携帯電話機１００の動作モードがビジーモードであるか否かが判定される（ステップＳ２０１）。ビジーモードでない場合には、ステップＳ２０２に進み、ビジーモードである場合には、図１０のステップＳ２０７に進む。
【０１０１】
まず、着信検出時の動作モードがビジーモードでなかった場合の動作について説明する。非ビジーモード中に着信があれば、鳴動や振動による着信呼出を行うとともに、着信呼出中におけるオフフック操作を監視する（ステップＳ２０２，Ｓ２０３）。そして、ユーザがオフフック操作を行えば、着信応答処理が行われる（ステップＳ２０４）。当該着信応答処理によって発信局ＳＴ１との呼接続が確立されると、通話可能な状態になる。この通話可能な期間中にユーザがオンフック操作を行えば、呼切断処理が行われ、当該着信処理を終了する（ステップＳ２０５，Ｓ２０６）。
【０１０２】
次に、着信検出時の動作モードがビジーモードであった場合の動作について説明する。ビジーモード中に着信があれば、着信呼出を行わず、自動応答制御部２０ａによって自動的に着信応答処理が開始され、発信局ＳＴ１との呼接続が確立される（ステップＳ２０７）。また、呼接続の確立後に、メッセージ出力部２０ｂにより対応不能メッセージＭＳＧが発信局ＳＴ１へ送信される（ステップＳ２０８）。
【０１０３】
対応不能メッセージの送信が完了すれば、フォロー動作制御部２２がフォロー設定要求ＦＳＲを発信局ＳＴ１へ送信する（ステップＳ２０９）。その後、フォロー設定受信部３１が、発信局ＳＴ１からフォロー設定ＦＳが送信されるのを監視する（ステップＳ２１０）。そして、フォロー設定受信部３１が発信側フォロー設定ＦＳ１を受信すれば、フォロー動作判定部２４が、フォロー動作を判定する（ステップＳ２１１）。
【０１０４】
このフォロー動作の判定は、発信側フォロー設定ＦＳ１及び着信側フォロー設定ＦＳ２に基づいて行われる。発信側フォロー設定ＦＳ１は、発信局ＳＴ１から受信したフォロー設定ＦＳである。着信側フォロー設定ＦＳ２は、発信局ＳＴ１に応じたフォロー設定であり、フォロー設定記憶部２５から読み出される。例えば、フォロー設定記憶部２５内に発信局ＳＴ１に対応づけられたフォロー設定ＦＳが存在する場合には、当該フォロー設定ＦＳが読み出され、発信局ＳＴ１に対応づけられたフォロー設定ＦＳが存在しない場合には、不特定の相手局のためのフォロー設定ＦＳが読み出される。
【０１０５】
また、フォロー動作の判定では、図７の判定テーブルに基づいて行われ、発信局ＳＴ１又は着信局ＳＴ２のいずれがフォロー動作を行うのかが判定される。ここでは、フォロー動作が、アラーム出力及びオートダイヤルからなり、アラーム出力を発信局ＳＴ１又は着信局ＳＴ２のいずれが行うのかを判定するとともに、オートダイヤルを発信局ＳＴ１又は着信局ＳＴ２のいずれが行うのかを判定する。
【０１０６】
フォロー動作判定部２４によって求められたフォロー動作の判定結果ＲＳは、通話可能時刻記憶部２３に保持されている通話可能時刻Ｔｃとともに、発信局ＳＴ１へ送信される（ステップＳ２１２）。その後、自動的に呼切断処理が行われ、通話可能な状態が終了する（ステップＳ２１３）。
【０１０７】
呼接続が切断された後、フォロー動作判定部２４の判定結果ＲＳが表示装置１３の表示画面に表示される（ステップＳ２１４）。例えば、自局又は相手局において通話可能時刻Ｔｃにアラーム出力が行われるのか否かが表示される。また、自局又は相手局により、通話可能時刻Ｔｃにオートダイヤルが行われるのか否かが表示される。判定結果ＲＳが表示された後、当該判定結果ＲＳに基づいてフォロー動作の予約処理が行われ、当該着信処理を終了する（ステップＳ２１５）。
【０１０８】
（発信処理）
図１１及び図１２のステップＳ３０１〜Ｓ３１０は、図２の携帯電話機１００の動作の一例を示したフローチャートであり、発信処理の一例が示されている。
【０１０９】
このフローチャートは、ユーザの発信操作によって開始される。発信操作は、例えば、オフフック操作と、着信局ＳＴ２を指定するためのダイヤル操作とからなる。このような発信操作により、着信局ＳＴ２の指定を含む発呼信号がセルラー基地局へ送信され、指定された着信局ＳＴ２へ呼出信号ＩＲが送信される（ステップＳ３０１）。発呼信号を送信した後は、着信局ＳＴ２からの着信応答信号ＲＰを監視し（ステップＳ３０２）、着信応答信号ＲＰを受信すれば呼接続が確立され、通話可能な状態に遷移する。
【０１１０】
通話可能な状態になれば、着信局ＳＴ２からのフォロー設定要求ＦＳＲを監視するとともに、ユーザのオンフック操作を監視する（ステップＳ３０３，Ｓ３０４）。着信局ＳＴ２がビジーモードであった場合、対応不能メッセージＭＳＧを受信した後にフォロー設定要求ＦＳＲを受信し、図１２のステップＳ３０６に進む。一方、着信局ＳＴ２がビジーモードでなかった場合、通話可能な状態に移行し、発信局ＳＴ１又は着信局ＳＴ２のいずれかにおいて、ユーザがオンフック操作を行えば、呼接続が切断され、当該発信処理を終了する（ステップＳ３０５）。なお、便宜上、図中では省略しているが、ユーザは任意のタイミングでオンフック操作を行うことができ、オフフック操作が行われた場合には、直ちに呼接続を切断して当該処理を終了する。
【０１１１】
ビジーモード中の着信局ＳＴ２からフォロー設定要求ＦＳＲを受信した場合、当該フォロー設定要求ＦＳＲに基づいて、発信側フォロー設定ＦＳ１を送信する（ステップＳ３０６）。発信側フォロー設定ＦＳ１は、着信局ＳＴ２に応じたフォロー設定であり、フォロー設定記憶部２５から読み出される。例えば、フォロー設定記憶部２５内に着信局ＳＴ２に対応づけられたフォロー設定ＦＳが存在する場合には、当該フォロー設定ＦＳが読み出され、着信局ＳＴ２に対応づけられたフォロー設定ＦＳが存在しない場合には、不特定の相手局のためのフォロー設定ＦＳが読み出される。
【０１１２】
フォロー設定ＦＳの送信後は、着信局ＳＴ２から送信される判定結果ＲＳ及び通話可能時刻Ｔｃを監視し、判定結果ＲＳ及び通話可能時刻Ｔｃを受信すれば、呼切断処理を実行する（ステップＳ３０７，Ｓ３０８）。呼接続が切断された後、着信局ＳＴ２から受信した判定結果ＲＳ及び通話可能時刻Ｔｃが表示装置１３の表示画面に表示される（ステップＳ３０９）。例えば、自局又は相手局において通話可能時刻Ｔｃにアラーム出力が行われるのか否かが表示される。また、自局又は相手局により、通話可能時刻Ｔｃにオートダイヤルが行われるのか否かが表示される。判定結果ＲＳが表示された後、判定結果ＲＳに基づいてフォロー動作の予約処理が行われ、当該着信処理を終了する（ステップＳ３１０）。
【０１１３】
（フォロー動作の予約処理）
図１３のステップＳ４０１〜Ｓ４０４は、フォロー動作の予約処理の一例を示したフローチャートであり、着信局ＳＴ２の場合には、図１０のステップＳ２１５において実行され、発信局ＳＴ１の場合には、図１２のステップ３１０において実行される。
【０１１４】
フォロー動作の予約処理は、着信局ＳＴ２の判定結果ＲＳに基づいて、発信局ＳＴ１又は着信局ＳＴ２により実行される処理である。つまり、着信局ＳＴ２は、自局のフォロー動作判定部２４の判定結果ＲＳに基づいてフォロー動作を予約する一方、発信局ＳＴ１は、着信局ＳＴ２から受信した判定結果ＲＳに基づいてフォロー動作を予約する。ここでは、アラーム出力、オートダイヤル順で予約処理が行われる。
【０１１５】
まず、判定結果ＲＳに基づいて、アラーム出力の予約が行われる。フォロー動作の判定結果ＲＳが、自局によるアラーム出力を示しているか否かが判別される（ステップＳ４０１）。自局がアラーム出力を行うという判定結果であった場合、自局のフォロー動作予約部２６が、着信局ＳＴ２が指定した通話可能時刻Ｔｃにアラーム出力が行われるように、タイマー部２７を動作させる（ステップＳ４０２）。
【０１１６】
一方、ステップＳ４０１において、自局はアラーム出力を行わないという判定結果であった場合、アラーム出力を予約することなく、当該予約処理を終了する。本実施の形態では、アラーム出力を行わずにオートダイヤルを行うという判定結果はないため、アラーム出力の予約を行わない場合には、オートダイヤルの予約も行わずに、予約処理を終了する。
【０１１７】
次に、アラーム予約を行った場合、さらに判定結果ＲＳに基づいて、オートダイヤルの予約が行われる。フォロー動作の判定結果ＲＳが、自局によるオートダイヤルを示しているか否かが判別され、自局がオートダイヤルを行うという判定結果であった場合、自局のフォロー動作予約部２６が、着信局ＳＴ２が指定した通話可能時刻Ｔｃにオートダイヤルが行われるように、タイマーを動作させる（ステップＳ４０３，Ｓ４０４）。一方、ステップＳ４０３において、自局はオートダイヤルを行わないという判定結果であった場合、当該予約処理を終了する。つまり、アラーム出力のみを予約して当該予約処理を終了する。
【０１１８】
（実施の形態１のまとめ）
第１の本発明に対応する本実施の形態による携帯電話機１００は、着信側フォロー設定ＦＳ２を保持するフォロー設定記憶部２５と、相手局から発信側フォロー設定ＦＳ１を受信するフォロー設定受信部３１と、ビジーモード中に着信があった場合に、発信側フォロー設定ＦＳ１及び着信側フォロー設定ＦＳ２に基づいて、通話可能時刻Ｔｃに、自局及び相手局がフォロー動作を行うか否かをそれぞれ判定するフォロー動作判定部２４とを備えている。
【０１１９】
発信側フォロー設定ＦＳ１及び着信側フォロー設定ＦＳ２は、それぞれ発信局ＳＴ１及び着信局ＳＴ２においてユーザが予め指定したフォロー設定ＦＳであり、通話可能時刻Ｔｃにフォロー動作を行う実行局として、自局又は相手局のいずれかを予め指定したデータである。
【０１２０】
この様な構成を採用することにより、ビジーモード中に着信があった場合、その後の通話可能時刻Ｔｃに発信局ＳＴ１又は着信局ＳＴ２のいずれがフォロー動作を行うのかを着信局ＳＴ２において判定することができる。しかも、この判定は、自局又は相手局のいずれがフォロー動作を行うのかについて、発信局ＳＴ１において指定された発信側フォロー設定ＦＳ１と、着信局ＳＴ２において指定された着信側フォロー設定ＦＳ２とに基づいて行われるため、発信局ＳＴ１及び着信局ＳＴ２の各ユーザの要望を反映し、これらを調整した判定結果が得られる。
【０１２１】
第２の本発明に対応する本実施の形態による携帯電話機１００は、フォロー設定記憶部２５が、不特定の相手局に対応づけられた着信側フォロー設定ＦＳ２と、予め指定された相手局にそれぞれ対応づけられた２以上の着信側フォロー設定ＦＳ２とを保持し、フォロー動作判定部２４が、相手局に応じた着信側フォロー設定ＦＳ２に基づいて、フォロー動作の判定を行う。
【０１２２】
このため、発信局ＳＴ１に対応づけられた着信側フォロー設定ＦＳ２を保持している場合には、当該着信側フォロー設定ＦＳ２がフォロー動作の判定に使用される。また、発信局ＳＴ１に対応づけられた着信側フォロー設定ＦＳ２を保持していなければ、不特定の相手局に対応づけられた着信側フォロー設定ＦＳ２が使用される。このため、発信局ＳＴ１ごとに異なる着信側フォロー設定ＦＳ２を指定すれば、発信局ＳＴ１に応じてフォロー動作の判定結果を異ならせることができる。例えば、２つの発信局ＳＴ１が互いに同一の発信側フォロー設定ＦＳ１を送信する場合であっても、いずれの発信局ＳＴ１から着信したのかによってフォロー動作の判定結果を異ならせることができる。
【０１２３】
第３の本発明に対応する本実施の形態による携帯電話機１００は、フォロー動作判定部２４が、着信側フォロー設定ＦＳ２及び発信側フォロー設定ＦＳ１のうち、一方のフォロー設定ＦＳ１（ＦＳ２）が相手局を指定し、他方のフォロー設定ＦＳ２（ＦＳ１）が自局を指定している場合に、他方のフォロー設定ＦＳ２（ＦＳ１）を有する局のみがフォロー動作を行うと判定する。
【０１２４】
このため、発信局ＳＴ１及び着信局ＳＴ２のユーザによる希望が合致している場合、両者の要望をともに反映させた判定が行われる。すなわち、着信側フォロー設定ＦＳ２が自局を指定し、発信側フォロー設定ＦＳ１が相手局を指定している場合には、着信局ＳＴ２がフォロー動作を行うと判定される。逆に、着信側フォロー設定ＦＳ２が相手局を指定し、発信側フォロー設定ＦＳ１が自局を指定している場合には、発信局ＳＴ１がフォロー動作を行うと判定される。
【０１２５】
第４の本発明に対応する本実施の形態による携帯電話機１００は、フォロー動作判定部２４が、着信側フォロー設定ＦＳ２及び発信側フォロー設定ＦＳ１がいずれも自局を指定している場合に、発信局ＳＴ１のみがフォロー動作を行うと判定する。
【０１２６】
つまり、発信局ＳＴ１及び着信局ＳＴ２のユーザが、ともに自局においてフォロー動作を行うことを要望している場合、発信局ＳＴ１の要望を優先させた判定が行われる。発信局ＳＴ１及び着信局ＳＴ２の両方においてフォロー動作を行う必要はなく、また、用件の緊急性や重要性を理解しているのは発信局ＳＴ１のユーザである。このため、発信側フォロー設定ＦＳ１が自局を指定している場合には、着信側フォロー設定ＦＳ２にかかわらず、発信局ＳＴ１がフォロー動作を行うと判定され、発信局ＳＴ１及び着信局ＳＴ２のユーザの要望が一致しない場合の調整が行われる。
【０１２７】
第５の本願発明に対応する本実施の形態による携帯電話機１００は、フォロー動作にアラーム出力が含まれ、着信側フォロー設定ＦＳ２及び発信側フォロー設定ＦＳ１にはアラーム設定ＦＳＡがそれぞれ含まれ、フォロー動作判定部２４が、発信局ＳＴ１及び着信局ＳＴ２のアラーム設定ＦＳＡに基づいて、発信局ＳＴ１及び着信局ＳＴ２がそれぞれ通話可能時刻Ｔｃにアラーム出力を行うか否かを判定する。
【０１２８】
このため、ビジーモード中に着信があった場合に、その後の通話可能時刻Ｔｃに発信局ＳＴ１又は着信局ＳＴ２がアラーム出力を行うのかを着信局ＳＴ２において判定することができる。しかも、この判定は、自局又は相手局のいずれがアラーム出力を行うのかについて、発信局ＳＴ１において指定されたアラーム設定ＦＳＡと、着信局ＳＴ２において指定されたアラーム設定ＦＳＡとに基づいて行われる。このため、発信局ＳＴ１及び着信局ＳＴ２の各ユーザの要望を反映し、これらを調整した判定結果が得られる。なお、上記実施の形態では、フォロー動作が、アラーム出力及びオートダイヤルである場合について説明したが、アラーム出力のみであってもよいことは言うまでもない。
【０１２９】
第６の本願発明に対応する本実施の形態による携帯電話機１００は、フォロー動作にオートダイヤルが含まれ、着信側フォロー設定ＦＳ２及び発信側フォロー設定ＦＳ１にはオートダイヤル設定ＦＳＤがそれぞれ含まれ、フォロー動作判定部２４が、発信局ＳＴ１及び着信局ＳＴ２のオートダイヤル設定ＦＳＤに基づいて、発信局ＳＴ１及び着信局ＳＴ２がそれぞれ通話可能時刻Ｔｃにオートダイヤルを行うか否かを判定する。
【０１３０】
このため、ビジーモード中に着信があった場合に、その後の通話可能時刻Ｔｃに発信局ＳＴ１又は着信局ＳＴ２がオートダイヤルを行うか否かを着信局ＳＴ２において判定することができる。しかも、この判定は、自局又は相手局のいずれがオートダイヤルを行うのかについて、発信局ＳＴ１において指定されたオートダイヤル設定ＦＳＤと、着信局ＳＴ２において指定されたオートダイヤル設定ＦＳＤとに基づいて行われる。このため、発信局ＳＴ１及び着信局ＳＴ２の各ユーザの要望を反映し、これらを調整した判定結果が得られる。
【０１３１】
第７の本願発明に対応する本実施の形態による携帯電話機１００は、フォロー動作がアラーム出力及びオートダイヤルからなり、着信側フォロー設定ＦＳ２は、アラーム設定ＦＳＡ及びオートダイヤル設定ＦＳＤからなり、発信側フォロー設定ＦＳ１も、アラーム設定ＦＳＡ及びオートダイヤル設定ＦＳＤからなり、フォロー動作判定部２４が、アラーム出力及びオートダイヤルのそれぞれについて判定を行う。
【０１３２】
このため、ビジーモード中に着信があった場合に、アラーム出力及びオートダイヤルのそれぞれに関し、自局又は相手局が実行するのかについて、発信局ＳＴ１において指定されたオートダイヤル設定ＦＳＤと、着信局ＳＴ２において指定されたオートダイヤル設定ＦＳＤとに基づいて行われる。
【０１３３】
第８の本願発明に対応する本実施の形態による携帯電話機１００は、ビジーモード中の着信局ＳＴ２へ発信した場合に、当該着信局ＳＴ２が指定する通話可能時刻Ｔｃに予め定められたフォロー動作を自局又は相手局のいずれが行うのかを指定した発信側フォロー設定ＦＳ１を保持するフォロー設定記憶部２５と、着信局ＳＴ２に対し、発信側フォロー設定ＦＳ１を送信するフォロー設定送信部３７と、発信側フォロー設定ＦＳ１に基づいて着信局ＳＴ２が判定したフォロー動作の判定結果ＲＳを着信局ＳＴ２から受信する判定結果受信部３６とを備えている。
【０１３４】
このため、発信局ＳＴ１のユーザの要望を反映した着信局ＳＴ２による判定結果ＲＳに基づいて、フォロー動作を行うことができる。
【０１３５】
第９の本願発明に対応する本実施の形態による携帯電話機１００は、フォロー設定記憶部２５は、不特定の相手局に対応づけられた発信側フォロー設定ＦＳ１と、予め指定された相手局にそれぞれ対応づけられた２以上の発信側フォロー設定ＦＳ１とを保持し、フォロー設定送信部３７は、着信局ＳＴ２に応じた発信側フォロー設定ＦＳ１を送信する。
【０１３６】
このため、着信局ＳＴ２に対応づけられた発信側フォロー設定ＦＳ１を保持している場合には、当該発信側フォロー設定ＦＳ１がフォロー動作の判定に使用される。また、着信局ＳＴ２に対応づけられた発信側フォロー設定ＦＳ１を保持していなければ、不特定の相手局に対応づけられた発信側フォロー設定ＦＳ１がフォロー動作の判定に使用される。このため、発信局ＳＴ１のユーザが、着信局ＳＴ２ごとに異なる発信側フォロー設定ＦＳ１を指定すれば、着信局ＳＴ２に応じてフォロー動作の判定結果を異ならせることができる。例えば、２つの着信局ＳＴ２が互いに同一の着信側フォロー設定ＦＳ２を保持している場合であっても、いずれの着信局ＳＴ２へ発信したのかによってフォロー動作の判定結果を異ならせることができる。
【０１３７】
実施の形態２．
実施の形態１では、発信側フォロー設定ＦＳ１を着信局ＳＴ２へ送信し、着信局ＳＴ２においてフォロー動作の判定を行う通話システムの例について説明した。これに対し、本実施の形態では、着信側フォロー設定ＦＳ２を発信局ＳＴ１へ送信し、発信局ＳＴ１においてフォロー動作の判定を行う通話システムについて説明する。
【０１３８】
（ビジーモード中の着信時のシーケンス）
図１４は、本発明の実施の形態２による電話機による動作の一例を示したシーケンス図であり、一方の電話機（発信局ＳＴ１）から他方の電話機（着信局ＳＴ２）へ発信が行われたときの動作が示されている。
【０１３９】
まず、着信局ＳＴ２においてビジーモードの開始操作が行われ、ビジーモードが開始される（ステップｍ１）。ビジーモードは、ユーザが、その後に通話可能になる通話可能時刻Ｔｃを入力することによって開始する。次に、発信局ＳＴ１のユーザが、発信先として着信局ＳＴ２を指定するダイヤル操作を行うことにより、発信局ＳＴ１から着信局ＳＴ２への発信が行われ、着信局ＳＴ２は呼出信号ＩＲを受信する（ステップｎ１）。ビジーモード中に着信した着信局ＳＴ２は、自動的に着信応答信号ＲＰを送信し、呼接続処理が行われる。
【０１４０】
発信局ＳＴ１及び着信局ＳＴ２間の呼接続が確立すれば、着信局ＳＴ２から発信局ＳＴ１へ対応不能メッセージＭＳＧが送信される。対応不能メッセージＭＳＧを受信した発信局ＳＴ１は、着信局ＳＴ２へフォロー設定要求ＦＳＲを送信する。フォロー設定要求ＦＳＲを受信した着信局ＳＴ２は、ユーザにより予め指定された着信側フォロー設定ＦＳ２を発信局ＳＴ１へ送信する。
【０１４１】
着信側フォロー設定ＦＳ２を受信した発信局ＳＴ１は、当該着信側フォロー設定ＦＳ２と、ユーザにより予め指定された発信側フォロー設定ＦＳ１とに基づいて、フォロー動作の判定を行う（ステップｎ２）。例えば、発信局ＳＴ１又は着信局ＳＴ２が通話可能時刻Ｔｃにアラーム出力を行うのかを判定する。また、発信局ＳＴ１又は着信局ＳＴ２が通話可能時刻Ｔｃにオートダイヤルを行うのかを判定する。
【０１４２】
次に、判定結果ＲＳの変更処理が行われる（ステップｎ３）。判定結果ＲＳの変更処理は、発信局ＳＴ１のユーザが、ステップｎ２における判定結果ＲＳを承認し、あるいは、変更する処理であり、判定処理ごとに実行される処理であってもよいが、ここでは、判定結果ＲＳに応じて実行される処理であるものとする。例えば、ステップｎ２において発信局ＳＴ１及び着信局ＳＴ２がともにフォロー動作を行わないと判定された場合にのみ、発信局ＳＴ１において判定結果ＲＳが画面表示され、発信局ＳＴ１がフォロー動作を行うことを許可するように促し、その許否を発信局ＳＴ１のユーザが選択する。ユーザが判定結果の変更を許可した場合にはステップｎ２の判定結果ＲＳが変更され、拒否した場合には、ステップｎ２の判定結果ＲＳが維持される。この様にして、必要に応じて変更又は承認された判定結果ＲＳが、発信局ＳＴ１から着信局ＳＴ２へ送信され、発信局ＳＴ１及び着信局ＳＴ２間の呼接続が遮断される。
【０１４３】
判定結果ＲＳは、呼切断後に発信局ＳＴ１及び着信局ＳＴ２の双方において画面表示される（ステップｎ４，ｍ２）。ここでは、発信局ＳＴ１が通話可能時刻Ｔｃにアラーム出力を行い、着信局ＳＴ２は何も行わないという判定結果ＲＳが画面表示されるものとする。次に、上記判定結果ＲＳに基づくフォロー動作の予約が行われる（ステップｎ５）。ここでは、発信局ＳＴ１において、通話可能時刻Ｔｃにアラーム出力を行うためのタイマー予約が行われる。一方、フォロー動作を行わない着信局ＳＴ２では、予約処理を行われない。
【０１４４】
その後、着信局ＳＴ２では、通話可能な状態になったユーザによりビジーモードの終了操作が行われ、ビジーモードが終了する（ステップｍ３）。一方、発信局ＳＴ１では、着信局ＳＴ２において予め指定された通話可能時刻Ｔｃになれば、アラーム出力が行われる。例えば、放音又は振動によるアラーム出力が行われるとともに、「電話番号０９０１２３４５６７８へ電話をかけて下さい。」というメッセージが画面表示される。このため、発信局ＳＴ１のユーザは、通話可能時刻Ｔｃに着信局ＳＴ２へ電話をかけるのを失念する心配がない。
【０１４５】
なお、上記判定結果ＲＳが発信局ＳＴ１によるオートダイヤルであった場合には、通話可能時刻Ｔｃに着信局ＳＴ２に対するオートダイヤル（自動発信）が行われる。同様にして、上記判定結果ＲＳが、着信局ＳＴ２によるアラーム出力又はオートダイヤルであった場合には、通話可能時刻Ｔｃに、着信局ＳＴ２において、アラーム出力又はオートダイヤルが行われる。
【０１４６】
図１５及び図１６は、本発明の実施の形態２による携帯電話機１０１の要部について機能構成の一例を示したブロック図であり、図１５は、着信局ＳＴ２として動作する場合における主な機能ブロックを示した図であり、図１６は、発信局ＳＴ１として動作する場合における主な機能ブロックを示した図である。なお、携帯電話機１０１の外観及びハードウエア構成は、図２及び図３に示したものと同一であるため、説明を省略する。また、図４及び図５に示された機能ブロックに相当する機能ブロックには、同一の符号を付し、重複する説明は適宜省略する。
【０１４７】
実施の形態１の携帯電話機１００では、フォロー動作の判定を着信局ＳＴ２で行っているのに対し、実施の形態２の携帯電話機１０１では、発信局ＳＴ１で行っている。このため、携帯電話機１００の機能ブロック図（図４、図５）と、携帯電話機１０１の機能ブロック図（図１５、図１６）とを比較すれば、次の点で異なる。
【０１４８】
携帯電話機１００では、発信局ＳＴ１（図５）を構成するフォロー設定要求受信部３５、判定結果受信部３６及びフォロー設定送信部３７が、携帯電話機１０１では、着信局ＳＴ２（図１５）を構成している点で異なる。同様にして、携帯電話機１００では、着信局ＳＴ２（図４）を構成するフォロー動作判定部２４、フォロー設定受信部３１、フォロー設定要求送信部３２及び判定結果送信部３３が、実施の形態２では発信局ＳＴ１（図１６）を構成している点で異なる。さらに、携帯電話機１０１の発信局ＳＴ２は、携帯電話機１００が備えていないメッセージ検出部４０及び判定結果変更部４１を備えている点で異なる。
【０１４９】
（着信局ＳＴ２の機能構成）
まず、図１５を用いて、着信局ＳＴ２の機能構成について説明する。ビジーモード制御部２０は、ビジーモード中における着信時の動作を制御する制御手段であり、自動応答制御部２０ａ及びメッセージ出力部２０ｂからなる。ビジーモード中に着信した場合、自動応答制御部２０ａが着信応答信号ＲＰを生成し、発信局ＳＴ１及び着信局ＳＴ２の間の呼接続が確立される。メッセージ出力部２０ｂは、呼接続の確立後に、対応不能メッセージＭＳＧを出力し、当該対応不能メッセージＭＳＧが発信局ＳＴ１へ送信される。
【０１５０】
フォロー動作制御部２２は、フォロー設定要求受信部３５、判定結果受信部３６及びフォロー設定送信部３７を制御し、発信局ＳＴ１との通信処理を制御している。また、フォロー動作予約部２６を制御し、フォロー動作の予約処理を制御している。さらに、表示装置１３を制御し、フォロー動作の判定結果ＲＳの表示処理を制御している。
【０１５１】
対応不能メッセージＭＳＧの送信後、フォロー設定要求受信部３５は、発信局ＳＴ１からフォロー設定要求ＦＳＲを受信する。このフォロー設定要求ＦＳＲに基づいて、着信側フォロー設定ＦＳ２及び通話可能時刻Ｔｃが発信局ＳＴ１へ送信される。すなわち、フォロー設定ＦＳがフォロー設定記憶部２５から読み出され、着信側フォロー設定ＦＳ２として発信局ＳＴ１へ送信される。また、通話可能時刻Ｔｃが通話可能時刻記憶部２３から読み出され、発信局ＳＴ１へ送信される。
【０１５２】
その後、判定結果受信部３６が、フォロー動作の判定結果ＲＳを発信局ＳＴ１から受信し、発信局ＳＴ１との呼接続を切断する。受信した判定結果ＲＳは、フォロー動作制御部２２によって表示装置１３に出力され、画面表示される。また、フォロー動作の判定結果ＲＳが、着信局ＳＴ２においてフォロー動作を行うという内容であった場合には、フォロー動作予約部２６がフォロー動作を予約する。すなわち、通話開始時刻にタイムアップするようにタイマー部２７に計測時間をセットし、タイマー部２７の計時動作をスタートさせる。
【０１５３】
その後、応答可能時刻になれば、タイマー部２７からタイムアップ信号が出力され、予約されていたフォロー動作が行われる。例えば、フォロー動作の判定結果ＲＳが着信局ＳＴ２におけるアラーム出力であれば、タイマー部２７のタイムアップ時に、アラーム出力部１５がアラーム出力を行う。一方、フォロー動作の判定結果ＲＳが着信局ＳＴ２におけるオートダイヤルであれば、タイマー部２７のタイムアップ時に、オートダイヤル部２８がオートダイヤルを行う。
【０１５４】
（発信局ＳＴ１の機能構成）
次に、図１６を用いて、発信局ＳＴ１の機能構成について説明する。発信局ＳＴ１のフォロー動作制御部２２は、メッセージ検出部４０、フォロー設定受信部３１、フォロー設定要求送信部３２及び判定結果送信部３３を制御し、着信局ＳＴ２との通信処理を制御している。また、フォロー動作判定部２４及びフォロー動作予約部２６を制御し、フォロー動作の判定処理及び予約処理を制御している。さらに、表示装置１３を制御し、フォロー動作の判定結果ＲＳの表示処理を制御している。
【０１５５】
ビジーモード中の電話機に発信した場合、着信局ＳＴ２との呼接続が確立された後、着信局ＳＴ２から対応不能メッセージＭＳＧを受信する。メッセージ検出部４０は、対応不能メッセージＭＳＧの受信を検出し、メッセージ検出信号を出力する。このメッセージ検出信号に基づいて、フォロー設定要求送信部３２が、着信局ＳＴ２に対しフォロー設定要求ＦＳＲを送信する。フォロー設定要求ＦＳＲに基づいて着信局ＳＴ２から送信された着信側フォロー設定ＦＳ２は、フォロー設定受信部３１によって受信される。
【０１５６】
フォロー動作判定部２４は、着信局ＳＴ２から受信した着信側フォロー設定ＦＳ２と、フォロー設定記憶部２５内に保持されている発信側フォロー設定ＦＳ１とに基づいて、フォロー動作の判定を行う。すなわち、発信局ＳＴ１及び着信局ＳＴ２のユーザの意思を反映させて、発信局ＳＴ１又は着信局ＳＴ２のいずれが、どのようなフォロー動作を行うのかを判定する。
【０１５７】
判定結果変更部４１は、発信局ＳＴ１のユーザによる判定結果の承認処理を行っている。判定結果ＲＳが、発信局ＳＴ１及び着信局ＳＴ２がともにフォロー動作を行わないという内容であった場合、当該判定結果ＲＳを表示装置１３へ出力して画面表示する。また、自局においてフォロー動作を行うことを促す表示を行い、フォロー動作の許否を選択するユーザ操作を受け付ける。発信局ＳＴ１のユーザが自局におけるフォロー動作を許可した場合には、自局においてフォロー動作を行うように判定結果ＲＳを修正する一方、フォロー動作を許可しなかった場合には、判定結果ＲＳが、そのまま維持される。
【０１５８】
上記判定結果ＲＳが判定結果送信部３３よって着信局ＳＴ２へ送信された後は、自動的に呼切断処理が行われ、発信局ＳＴ１との呼接続が切断される。また、上記判定結果ＲＳは、フォロー動作制御部２２によって表示装置１３に出力され、画面表示される。
【０１５９】
さらに、フォロー動作の判定結果ＲＳが、着信局ＳＴ２においてフォロー動作を行うという内容であった場合には、フォロー動作予約部２６がフォロー動作を予約する。つまり、通話開始時刻にタイムアップするようにタイマー部２７に計測時間をセットし、タイマー部２７の計時動作をスタートさせる。
【０１６０】
その後、応答可能時刻になれば、タイマー部２７からタイムアップ信号が出力され、予約されていたフォロー動作が行われる。例えば、フォロー動作の判定結果ＲＳが発信局ＳＴ１におけるアラーム出力であれば、タイマー部２７のタイムアップ時に、アラーム出力部１５がアラーム出力を行う。一方、フォロー動作の判定結果ＲＳが発信局ＳＴ１におけるオートダイヤルであれば、タイマー部２７のタイムアップ時に、オートダイヤル部２８がオートダイヤルを行う。
【０１６１】
（着信処理）
図１７及び図１８のステップＳ５０１〜Ｓ５１４は、携帯電話機１０１の動作の一例を示したフローチャートであり、着信処理の一例が示されている。ステップＳ５０１〜Ｓ５０６は、非ビジーモード中の着信時における動作フローであり、図９のステップＳ２１０〜Ｓ２０６と同一であるため、説明を省略する。
【０１６２】
ステップＳ５０７〜Ｓ５１４は、ビジーモード中の着信時における動作フローである。ビジーモード中に着信があれば、着信呼出を行うことなく、自動応答制御部２０ａによって自動的に呼接続応答処理が開始され、発信局ＳＴ１との呼接続が確立される（ステップＳ５０７）。また、呼接続の確立後に、対応不能メッセージＭＳＧが、メッセージ出力部２０ｂにより発信局ＳＴ１へ送信される（ステップＳ５０８）。
【０１６３】
対応不能メッセージの送信を開始した後、フォロー設定要求受信部３５が、発信局ＳＴ１からのフォロー設定要求ＦＳＲを監視する（ステップＳ５０９）。発信局ＳＴ１からフォロー設定要求ＦＳＲを受信した場合、当該フォロー設定要求ＦＳＲに基づいて、着信側フォロー設定ＦＳ２を送信する（ステップＳ５１０）。着信側フォロー設定ＦＳ２は、発信局ＳＴ１に応じたフォロー設定であり、フォロー設定記憶部２５から読み出される。例えば、フォロー設定記憶部２５内に発信局ＳＴ１に対応づけられたフォロー設定ＦＳが存在する場合には、当該フォロー設定ＦＳが読み出され、発信局ＳＴ１に対応づけられたフォロー設定ＦＳが存在しない場合には、不特定の相手局のためのフォロー設定ＦＳが読み出される。また、通話可能時刻Ｔｃが通話可能時刻記憶部２３から読み出され、発信局ＳＴ１へ送信される。
【０１６４】
着信側フォロー設定ＦＳ２及び通話可能時刻Ｔｃの送信後は、発信局ＳＴ１から送信される判定結果ＲＳを監視し、判定結果ＲＳを受信すれば、呼切断処理を実行する（ステップＳ５１１，Ｓ５１２）。呼接続が切断された後、発信局ＳＴ２による判定結果ＲＳが表示装置１３の表示画面に表示される（ステップＳ５１３）。例えば、自局又は相手局において通話可能時刻Ｔｃにアラーム出力が行われるのか否かが表示される。また、自局又は相手局により、通話可能時刻Ｔｃにオートダイヤルが行われるのか否かが表示される。判定結果ＲＳが表示された後、判定結果ＲＳに基づいてフォロー動作の予約処理が行われ、当該着信処理を終了する（ステップＳ５１４）。
【０１６５】
（発信処理）
図１９及び図２０のステップＳ６０１〜Ｓ６１４は、携帯電話機１０１の動作の一例を示したフローチャートであり、発信処理の一例が示されている。
【０１６６】
このフローチャートは、ユーザの発信操作によって開始される。発信局ＳＴ１のユーザが発信操作を行えば、セルラー基地局へ発呼信号が送信され、着信局ＳＴ２へ呼出信号ＩＲが送信される（ステップＳ６０１）。発呼信号の送信後は、着信局ＳＴ２からの着信応答信号ＲＰを監視し（ステップＳ６０２）、着信応答信号ＲＰを受信すれば呼接続が確立され、通話可能な状態に遷移する。
【０１６７】
通話可能な状態になれば、着信局ＳＴ２からの対応不能メッセージＭＳＧを監視するとともに、ユーザのオンフック操作を監視する（ステップＳ６０３，Ｓ６０４）。着信局ＳＴ２がビジーモードであった場合、対応不能メッセージＭＳＧを受信し、図２０のステップＳ６０６に進む。一方、着信局ＳＴ２がビジーモードでなかった場合、通話可能な状態に移行し、発信局ＳＴ１又は着信局ＳＴ２のいずれかにおいて、ユーザがオンフック操作を行えば、呼接続が切断され、当該発信処理を終了する（ステップＳ６０５）。なお、便宜上、図中では省略しているが、ユーザは任意のタイミングでオンフック操作を行うことができ、オフフック操作が行われた場合には、直ちに呼接続を切断して当該処理を終了する。
【０１６８】
ステップＳ６０３において、ビジーモード中の着信局ＳＴ２から対応不能メッセージＭＳＧを受信した場合、フォロー動作制御部２２がフォロー設定要求ＦＳＲを着信局ＳＴ２へ送信する（ステップＳ６０６）。その後、フォロー設定受信部３１が、着信局ＳＴ２から着信側フォロー設定ＦＳが２送信されるのを監視し（ステップＳ６０７）、着信側フォロー設定ＦＳ２及び通話可能時刻Ｔｃを受信すれば、フォロー動作判定部２４が、フォロー動作の判定を行う（ステップＳ６０８）。
【０１６９】
このフォロー動作の判定は、発信側フォロー設定ＦＳ１及び着信側フォロー設定ＦＳ２に基づいて行われる。発信側フォロー設定ＦＳ１は、着信局ＳＴ２に応じたフォロー設定であり、フォロー設定記憶部２５から読み出される。例えば、フォロー設定記憶部２５内に着信局ＳＴ２に対応づけられたフォロー設定ＦＳが存在する場合には、当該フォロー設定ＦＳが読み出され、着信局ＳＴ２に対応づけられたフォロー設定ＦＳが存在しない場合には、不特定の相手局のためのフォロー設定ＦＳが読み出される。着信側フォロー設定ＦＳ２は、着信局ＳＴ２から受信したフォロー設定ＦＳである。
【０１７０】
フォロー動作判定部２４による判定結果ＲＳが、発信局ＳＴ１及び着信局ＳＴ２がともにフォロー動作を行わないという内容であれば、判定結果の変更処理が行われる（ステップＳ６０９，Ｓ６１０）。判定結果の変更処理は、判定結果ＲＳをそのまま維持するのか、あるいは、変更するのかを発信局ＳＴ１のユーザが選択するための処理である。
【０１７１】
この様にして得られたフォロー動作の判定結果ＲＳは、着信局ＳＴ２へ送信される（ステップＳ６１１）。その後、自動的に呼切断処理が行われ、通話可能な状態が終了する（ステップＳ６１２）。
【０１７２】
呼接続が切断された後、判定結果ＲＳが表示装置１３の表示画面に表示される（ステップＳ６１３）。例えば、自局又は相手局において通話可能時刻Ｔｃにアラーム出力が行われるのか否かが表示される。また、自局又は相手局により、通話可能時刻Ｔｃにオートダイヤルが行われるのか否かが表示される。さらに、判定結果ＲＳが表示された後、当該判定結果ＲＳに基づいてフォロー動作の予約処理が行われ、当該発信処理を終了する（ステップＳ６１４）。
【０１７３】
（判定結果ＲＳの変更処理）
図２１のステップＳ７０１〜７０４は、判定結果ＲＳの変更処理の一例を示したフローチャートであり、図２０のステップＳ６１０において実行される。判定結果ＲＳの変更処理は、フォロー動作判定部２４の判定結果ＲＳに基づいて実行される処理であり、発信局ＳＴ１及び着信局ＳＴ２がともにフォロー動作を行わないという判定結果が得られた場合に、発信局ＳＴ１の判定結果変更部４１によって実行される。
【０１７４】
まず、フォロー動作判定部２４が求めた判定結果ＲＳが画面表示される（ステップＳ７０１）。例えば「相手局ではアラーム／オートダイヤルは予約されず、自局でもアラーム／オートダイヤルは予約されません。」と表示される。
【０１７５】
また、自局においてフォロー動作を行うように判定結果を変更することを促す画面表示が行われる（ステップＳ７０２）。例えば、「アラームを予約しますか？」と表示され、自局によるアラーム予約の許否を選択するためのユーザ操作が可能になる。
【０１７６】
そして、ユーザが判定結果ＲＳの変更を許可すれば、自局がアラーム出力を行うように判定結果ＲＳが変更され、当該処理を終了する（ステップＳ７０３，Ｓ７０４）。つまり、発信局ＳＴ１及び着信局ＳＴ２がともにフォロー動作を行わないという判定結果ＲＳが、発信局ＳＴ２がフォロー動作を行うという判定結果ＲＳに変更される。一方、ユーザが判定結果の変更を許可しなかった場合には、判定結果ＲＳは、ユーザが承認した判定結果として、そのまま維持され、当該処理を終了する。ここで、変更を許可しなかった場合とは、ユーザが変更を拒否する操作入力を行った場合や、一定時間内に変更を許可する操作入力を行わなかった場合が含まれる。
【０１７７】
実施の形態１では、ビジーモード中の着信局ＳＴ２においてフォロー動作の判定を行っているのに対し、実施の形態２では、発信局ＳＴ１においてフォロー動作の判定を行っている。このため、ユーザが判定結果ＲＳを承認し、あるいは、変更することができる。
【０１７８】
なお、本実施の形態では、判定結果ＲＳが、発信局ＳＴ１及び着信局ＳＴ２がともにフォロー動作を行わないという内容である場合に、判定結果ＲＳの変更処理を行う場合の例について説明したが、判定結果ＲＳの内容にかかわらず、ユーザが判定結果ＲＳを変更又は承認するように構成することもできる。また、本実施の形態では、自局がフォロー動作を行うように判定結果ＲＳを変更する場合の例について説明したが、自局がフォロー動作を行わないように判定結果ＲＳを変更可能であってもよい。さらに、相手局がフォロー動作を行うように変更可能であってもよいし、相手局がフォロー動作を行わないように変更可能であってもよい。
【０１７９】
（実施の形態２のまとめ）
第１０の本発明に対応する本実施の形態による携帯電話機１０１は、発信側フォロー設定ＦＳ１を保持するフォロー設定記憶部２５と、相手局から着信側フォロー設定ＦＳ２を受信するフォロー設定受信部３１と、ビジーモード中の電話機に発信した場合に、発信側フォロー設定ＦＳ１及び着信側フォロー設定ＦＳ２に基づいて、相手局が指定する通話可能時刻Ｔｃに、自局及び相手局がフォロー動作を行うか否かをそれぞれ判定するフォロー動作判定部２４とを備えている。
【０１８０】
この様な構成を採用することにより、ビジーモード中の電話機へ発信した場合に、その後の通話可能時刻Ｔｃに発信局ＳＴ１又は着信局ＳＴ２のいずれがフォロー動作を行うのかを発信局ＳＴ１において判定することができる。しかも、この判定は、自局又は相手局のいずれがフォロー動作を行うのかについて、発信局ＳＴ１において指定された発信側フォロー設定ＦＳ１と、着信局ＳＴ２において指定された着信側フォロー設定ＦＳ２とに基づいて行われるため、発信局ＳＴ１及び着信局ＳＴ２の各ユーザの要望を反映し、これらを調整した判定結果が得られる。また、通話可能時刻Ｔｃは、着信局ＳＴ２において指定された時刻が用いられる。
【０１８１】
第１１の本発明に対応する本実施の形態による携帯電話機１０１は、フォロー設定記憶部２５が、不特定の相手局に対応づけられた発信側フォロー設定ＦＳ１と、予め指定された相手局にそれぞれ対応づけられた２以上の発信側フォロー設定ＦＳ１とを保持し、フォロー動作判定部２４が、相手局に応じた発信側フォロー設定ＦＳ１に基づいて、フォロー動作の判定を行う。
【０１８２】
このため、着信局ＳＴ２に対応づけられた発信側フォロー設定ＦＳ１を保持している場合には、当該発信側フォロー設定ＦＳ１がフォロー動作の判定に使用される。また、着信局ＳＴ２に対応づけられた発信側フォロー設定ＦＳ１を保持していなければ、不特定の相手局に対応づけられた発信側フォロー設定ＦＳ１が使用される。このため、着信局ＳＴ２ごとに異なる発信側フォロー設定ＦＳ１を指定すれば、着信局ＳＴ２に応じてフォロー動作の判定結果ＲＳを異ならせることができる。例えば、２つの着信局ＳＴ２が互いに同一の着信側フォロー設定ＦＳ２を送信する場合であっても、いずれの着信局ＳＴ２へ発信したのかによってフォロー動作の判定結果ＲＳを異ならせることができる。
【０１８３】
第１２の本発明に対応する本実施の形態による携帯電話機１０１は、フォロー動作判定部２４が、発信側フォロー設定ＦＳ１及び着信側フォロー設定ＦＳ２のうち、一方のフォロー設定ＦＳ１（ＦＳ２）が相手局を指定し、他方のフォロー設定ＦＳ２（ＦＳ１）が自局を指定している場合に、他方のフォロー設定ＦＳ２（ＦＳ１）を有する局のみがフォロー動作を行うと判定する。
【０１８４】
このため、発信局ＳＴ１及び着信局ＳＴ２のユーザによる希望が合致している場合、両者の要望をともに反映させた判定が行われる。すなわち、発信側フォロー設定ＦＳ１が自局を指定し、着信側フォロー設定ＦＳ２が相手局を指定している場合には、発信局ＳＴ１がフォロー動作を行うと判定される。逆に、発信側フォロー設定ＦＳ１が相手局を指定し、着信側フォロー設定ＦＳ２が自局を指定している場合には、着信局ＳＴ２がフォロー動作を行うと判定される。
【０１８５】
第１３の本発明に対応する本実施の形態による携帯電話機１０１は、フォロー動作判定部２４が、発信側フォロー設定ＦＳ１及び着信側フォロー設定ＦＳ２がいずれも自局を指定している場合に、発信局ＳＴ１のみがフォロー動作を行うと判定する。
【０１８６】
このため、発信局ＳＴ１及び着信局ＳＴ２のユーザが、ともに自局においてフォロー動作を行うことを要望している場合、発信局ＳＴ１の要望を優先させた判定が行われる。発信局ＳＴ１及び着信局ＳＴ２の両方においてフォロー動作を行う必要はなく、また、用件の緊急性や重要性を理解しているのは発信局ＳＴ１のユーザである。このため、発信側フォロー設定ＦＳ１が自局を指定している場合には、着信側フォロー設定ＦＳ２にかかわらず、発信局ＳＴ１がフォロー動作を行うと判定され、発信局ＳＴ１及び着信局ＳＴ２のユーザの要望が一致しない場合の調整が行われる。
【０１８７】
第１４の本発明に対応する本実施の形態による携帯電話機１０１は、フォロー動作判定部２４によって、発信局ＳＴ１および着信局ＳＴ２がともにフォロー動作を行わないと判定される場合に、自局がフォロー動作を行うことをユーザに促し、ユーザの操作入力に基づいて、フォロー動作判定部２４による判定結果を変更する判定結果変更部４１を備えている。
【０１８８】
このため、発信側フォロー設定ＦＳ１及び着信側フォロー設定ＦＳ２がともに相手局を指定し、フォロー動作判定部２４が、発信局ＳＴ１および着信局ＳＴ２がともにフォロー動作を行わないと判断する場合であっても、発信局ＳＴ１のユーザの判断により、発信局ＳＴ１においてフォロー動作を行うことを選択することができる。従って、発信局ＳＴ１及び着信局ＳＴ２がともにフォロー動作を行わないという状態を回避することが可能になる。
【０１８９】
第１５の本発明に対応する本実施の形態による携帯電話機１０１は、フォロー動作にアラーム出力が含まれ、発信側フォロー設定ＦＳ１及び着信側フォロー設定ＦＳ２にはアラーム設定ＦＳＡがそれぞれ含まれ、フォロー動作判定部２４が、発信局ＳＴ１及び着信局ＳＴ２のアラーム設定ＦＳＡに基づいて、発信局ＳＴ１及び着信局ＳＴ２がそれぞれ通話可能時刻Ｔｃにアラーム出力を行うか否かを判定する。
【０１９０】
このため、ビジーモード中の電話機へ発信した場合に、その後の通話可能時刻Ｔｃに発信局ＳＴ１又は着信局ＳＴ２のいずれがアラーム出力を行うのかを発信局ＳＴ１において判定することができる。しかも、この判定は、自局又は相手局のいずれがアラーム出力を行うのかについて、発信局ＳＴ１において指定されたアラーム設定ＦＳＡと、着信局ＳＴ２において指定されたアラーム設定ＦＳＡとに基づいて行われる。このため、発信局ＳＴ１及び着信局ＳＴ２の各ユーザの要望を反映し、これらを調整した判定結果が得られる。なお、上記実施の形態では、フォロー動作が、アラーム出力及びオートダイヤルである場合について説明したが、アラーム出力のみであってもよいことは言うまでもない。
【０１９１】
第１６の本願発明に対応する本実施の形態による携帯電話機１０１は、フォロー動作にオートダイヤルが含まれ、発信側フォロー設定ＦＳ１及び着信側フォロー設定ＦＳ２にはオートダイヤル設定ＦＳＤがそれぞれ含まれ、フォロー動作判定部２４が、発信局ＳＴ１及び着信局ＳＴ２のオートダイヤル設定ＦＳＤに基づいて、発信局ＳＴ１及び着信局ＳＴ２がそれぞれ通話可能時刻Ｔｃにオートダイヤルを行うか否かを判定する。
【０１９２】
このため、ビジーモード中の電話機へ発信した場合に、その後の通話可能時刻Ｔｃに発信局ＳＴ１又は着信局ＳＴ２のいずれがオートダイヤルを行うのかを発信局ＳＴ１において判定することができる。しかも、この判定は、自局又は相手局のいずれがオートダイヤルを行うのかについて、発信局ＳＴ１において指定されたオートダイヤル設定ＦＳＤと、着信局ＳＴ２において指定されたオートダイヤル設定ＦＳＤとに基づいて行われる。このため、発信局ＳＴ１及び着信局ＳＴ２の各ユーザの要望を反映し、これらを調整した判定結果が得られる。
【０１９３】
第１７の本願発明に対応する本実施の形態による携帯電話機１０１は、フォロー動作がアラーム出力及びオートダイヤルからなり、発信側フォロー設定ＦＳ１は、アラーム設定ＦＳＡ及びオートダイヤル設定ＦＳＤからなり、着信側フォロー設定ＦＳ２も、アラーム設定ＦＳＡ及びオートダイヤル設定ＦＳＤからなり、フォロー動作判定部２４が、アラーム出力及びオートダイヤルのそれぞれについて判定を行う。
【０１９４】
このため、ビジーモード中の電話機へ発信した場合に、アラーム出力及びオートダイヤルのそれぞれに関し、自局又は相手局のいずれが実行するのかについて、発信局ＳＴ１において指定されたオートダイヤル設定ＦＳＤと、着信局ＳＴ２において指定されたオートダイヤル設定ＦＳＤとに基づいて行われる。
【０１９５】
第１８の本願発明に対応する本実施の形態による携帯電話機１０１は、ビジーモード中に着信があった場合に、当該着信局ＳＴ２が指定する通話可能時刻Ｔｃに予め定められたフォロー動作を自局又は相手局のいずれが行うのかを指定した着信側フォロー設定ＦＳ２を保持するフォロー設定記憶部２５と、発信局ＳＴ１に対し、着信側フォロー設定ＦＳ２を送信するフォロー設定送信部３７と、着信側フォロー設定ＦＳ２に基づいて発信局ＳＴ１が判定したフォロー動作の判定結果ＲＳを発信局ＳＴ１から受信する判定結果受信部３６とを備えている。
【０１９６】
このため、着信局ＳＴ２のユーザの要望を反映した発信局ＳＴ１による判定結果ＲＳに基づいて、フォロー動作を行うことができる。
【０１９７】
第１９の本願発明に対応する本実施の形態による携帯電話機１０１は、フォロー設定記憶部２５は、不特定の相手局に対応づけられた着信側フォロー設定ＦＳ２と、予め指定された相手局にそれぞれ対応づけられた２以上の着信側フォロー設定ＦＳ２とを保持し、フォロー設定送信部３７は、発信局ＳＴ１に応じた着信側フォロー設定ＦＳ２を送信する。
【０１９８】
このため、発信局ＳＴ１に対応づけられた着信側フォロー設定ＦＳ２を保持している場合には、当該着信側フォロー設定ＦＳ２がフォロー動作の判定に使用される。また、発信局ＳＴ１に対応づけられた着信側フォロー設定ＦＳ２を保持していなければ、不特定の相手局に対応づけられた着信側フォロー設定ＦＳ２がフォロー動作の判定に使用される。このため、着信局ＳＴ２のユーザが、発信局ＳＴ１ごとに異なる着信側フォロー設定ＦＳ２を指定すれば、発信局ＳＴ１に応じてフォロー動作の判定結果を異ならせることができる。例えば、２つの発信局ＳＴ１が互いに同一の発信側フォロー設定ＦＳ１を保持している場合であっても、いずれの発信局ＳＴ１へ発信したのかによってフォロー動作の判定結果を異ならせることができる。
【符号の説明】
【０１９９】
１０    主制御部
１１    無線部
１２    操作入力部
１３    表示装置
１４    音声制御部
１４ａ  レシーバ
１４ｂ  マイクロホン
１５    アラーム出力部
１５ａ  スピーカ
１５ｂ  バイブレータ
２０    ビジーモード制御部
２０ａ  自動応答制御部
２０ｂ  メッセージ出力部
２１    着信検出部
２２    フォロー動作制御部
２３    通話可能時刻記憶部
２４    フォロー動作判定部
２５    フォロー設定記憶部
２６    フォロー動作予約部
２７    タイマー部
２８    オートダイヤル部
３１    フォロー設定受信部
３２    フォロー設定要求送信部
３３    判定結果送信部
３５    フォロー設定要求受信部
３６    判定結果受信部
３７    フォロー設定送信部
４０    メッセージ検出部
４１    判定結果変更部
１００，１０１    携帯電話機
ＦＳ    フォロー設定
ＦＳ１  発信側フォロー設定
ＦＳ２  着信側フォロー設定
ＦＳＡ  アラーム設定
ＦＳＤ  オートダイヤル設定
ＦＳＲ  フォロー設定要求
ＩＲ    呼出信号
ＭＳＧ  対応不能メッセージ
ＲＰ    着信応答信号
ＲＳ    判定結果
ＳＴ１  発信局
Ｔｃ    通話可能時刻
【図１】
0005795957.tif 000002
【図２】
0005795957.tif 000003
【図３】
0005795957.tif 000004
【図４】
0005795957.tif 000005
【図５】
0005795957.tif 000006
【図６】
0005795957.tif 000007
【図７】
0005795957.tif 000008
【図８】
0005795957.tif 000009
【図９】
0005795957.tif 000010
【図１０】
0005795957.tif 000011
【図１１】
0005795957.tif 000012
【図１２】
0005795957.tif 000013
【図１３】
0005795957.tif 000014
【図１４】
0005795957.tif 000015
【図１５】
0005795957.tif 000016
【図１６】
0005795957.tif 000017
【図１７】
0005795957.tif 000018
【図１８】
0005795957.tif 000019
【図１９】
0005795957.tif 000020
【図２０】
0005795957.tif 000021
【図２１】
0005795957.tif 000022